(57)【要約】  ＰＵＣＣＨ等の上り回線制御チャネルの利用効率を維持しつつ、Ｄ−ＡＣＫ及びＰ−ＡＣＫのリソース割り当てを行う無線通信基地局装置、無線通信端末装置及び応答信号割当方法を提供する。複数のＣＣＥがＰＤＣＣＨ送信時に割り当てられた場合、利用可能な複数のＣＣＥ番号のうち、奇数のＣＣＥ番号に対応するＰＵＣＣＨリソースをＤ−ＡＣＫ用に割り当て、偶数のＣＣＥ番号に対応するＰＵＣＣＨリソースをＰ−ＡＣＫ用に割り当てる。
2009037853.tif 000002
【特許請求の範囲】
【請求項１】
動的にスケジューリングを行うダイナミックスケジューリングが行われた無線通信端末装置に送信した下り回線データに対して、前記無線通信端末装置が上り回線におけるＡＣＫ又はＮＡＣＫの送信に用いるリソースと、下り回線データの送信に対するＰＤＣＣＨに割り当てられたＣＣＥ番号とが一対一に対応付けられた無線通信基地局装置であって、
１つのＰＤＣＣＨに複数のＣＣＥが割り当てられた場合、奇数と偶数のいずれか一方のＣＣＥ番号に対応するリソースをダイナミックスケジューリングされる無線通信端末装置が送信するＡＣＫ又はＮＡＣＫ用に割り当て、奇数と偶数のいずれか他方のＣＣＥ番号に対応するリソースをパーシステントスケジューリングされる無線通信端末装置が送信するＡＣＫ又はＮＡＣＫ用に割り当てるリソース制御手段と、
リソースが割り当てられた無線通信端末装置に割り当てたリソースを通知する通知手段と、
を具備する無線通信基地局装置。
【請求項２】
前記リソース制御手段は、１つのＰＤＣＣＨに複数のＣＣＥが割り当てられた場合、利用可能なＣＣＥ番号を正整数Ｎによって除算して得られる余りの値に予め対応付けた用途のリソースを無線通信端末装置に割り当てる請求項１に記載の無線通信基地局装置。
【請求項３】
動的にスケジューリングを行うダイナミックスケジューリングが行われ、送信した上り回線データに対して、無線通信基地局装置が下り回線におけるＡＣＫ又はＮＡＣＫの送信に用いるリソースと、ＰＵＳＣＨのスケジューリング情報を含むＰＤＣＣＨに割り当てられたＣＣＥ番号とが一対一に対応付けられた無線通信端末装置であって、
１つのＰＤＣＣＨに複数のＣＣＥが割り当てられた場合、奇数と偶数のいずれか一方のＣＣＥ番号に対応するリソースをダイナミックスケジューリングされた場合に送信するＡＣＫ又はＮＡＣＫ用に割り当て、奇数と偶数のいずれか他方のＣＣＥ番号に対応するリソースをパーシステントスケジューリングされた場合に送信するＡＣＫ又はＮＡＣＫ用に割り当てるリソース制御手段と、
リソースが割り当てられた無線通信基地局装置に割り当てたリソースを通知する通知手段と、
を具備する無線通信端末装置。
【請求項４】
動的にスケジューリングを行うダイナミックスケジューリングが行われた無線通信端末装置に送信した下り回線データに対して、前記無線通信端末装置が上り回線におけるＡＣＫ又はＮＡＣＫの送信に用いるリソースと、下り回線データの送信に対するＰＤＣＣＨに割り当てられたＣＣＥ番号とが一対一に対応付けられ、１つのＰＤＣＣＨに複数のＣＣＥが割り当てられた場合、奇数と偶数のいずれか一方のＣＣＥ番号に対応するリソースをダイナミックスケジューリングされる無線通信端末装置が送信するＡＣＫ又はＮＡＣＫ用に割り当て、奇数と偶数のいずれか他方のＣＣＥ番号に対応するリソースをパーシステントスケジューリングされる無線通信端末装置が送信するＡＣＫ又はＮＡＣＫ用に割り当てる応答信号割当方法。
【発明の詳細な説明】
【技術分野】
【０００１】
本発明は、無線通信基地局装置、無線通信端末装置及び応答信号割当方法に関する。
【背景技術】
【０００２】
移動体通信では、無線通信基地局装置（以下、「基地局」と省略する）から無線通信移動局装置（以下、「移動局」と省略する）への下り回線データに対してＡＲＱ（Automatic Repeat Request）が適用される。ＡＲＱでは、移動局は下り回線データの誤り検出結果を示す応答信号を基地局へフィードバックする。具体的には、移動局は下り回線データに対しＣＲＣ（Cyclic Redundancy Check）を行って、ＣＲＣ＝ＯＫ（誤り無し）であればＡＣＫ（Acknowledgment）を応答信号として、また、ＣＲＣ＝ＮＧ（誤り有り）であればＮＡＣＫ（Negative Acknowledgment）を応答信号として基地局へフィードバックする。この応答信号は、例えば、ＰＵＣＣＨ（Physical Uplink Control Channel），上りL1/L2ＣＣＨ（L1/L2 Control Channel）等の上り回線制御チャネルを用いて基地局へ送信される。【０００３】
また、図１に示すように、ＣＡＺＡＣ（Constant Amplitude Zero Auto Correlation）系列及びウォルシュ（Walsh）系列を用いて、応答信号を拡散することにより、複数の移動局からそれぞれ送信される応答信号をコード多重することが検討されている（非特許文献１参照）。図１において、（Ｗ０,Ｗ１,Ｗ２,Ｗ３）は系列長４のウォルシュ系列を表わす。図１に示すように、移動局では、ＡＣＫ又はＮＡＣＫの応答信号が、まず周波数軸上でＣＡＺＡＣ系列（系列長１２）によって１ＳＣ−ＦＤＭＡ（Single Carrier-Frequency Division Multiple Access）シンボル内に１次拡散される。【０００４】
次いで、１次拡散後の応答信号がＷ０〜Ｗ３にそれぞれ対応させてＩＦＦＴ（Inverse Fast Fourier Transform）される。周波数軸上で系列長１２のＣＡＺＡＣ系列によって拡散された応答信号は、このＩＦＦＴにより時間軸上の系列長１２のＣＡＺＡＣ系列に変換される。そして、ＩＦＦＴ後の信号がさらにウォルシュ系列（系列長４）を用いて２次拡散される。つまり、１つの応答信号は４つのＳＣ−ＦＤＭＡシンボルＳ０〜Ｓ３にそれぞれ配置される。他の移動局でも同様に、ＣＡＺＡＣ系列及びウォルシュ系列を用いて応答信号が拡散される。ただし、異なる移動局間では、時間軸上での巡回シフト（Cyclic Shift）量が互いに異なるＣＡＺＡＣ系列、または、互いに異なるウォルシュ系列が用いられる。【０００５】
なお、ここでは、ＣＡＺＡＣ系列の時間軸上での系列長が１２であるため、同一ＣＡＺＡＣ系列から生成される巡回シフト量０〜１１の１２個のＣＡＺＡＣ系列を用いることができる。また、ウォルシュ系列の系列長が４であるため、互いに異なる４つのウォルシュ系列を用いることができる。よって、理想的な通信環境では、最大４８（１２×４）の移動局からの応答信号をコード多重することができる。【０００６】
一方、移動局では、移動局毎に異なる巡回シフト量のＣＡＺＡＣ系列がＡＣＫ／ＮＡＣＫ用参照信号（以下、「ＲＳ：Reference Signal」という）として用いられ、系列長３の拡散符号（Ｆ０,Ｆ１,Ｆ２）を用いてＲＳが２次拡散される。したがって、理想的な通信環境では、最大３６（１２×３）の移動局からの応答信号をコード多重することができる。【０００７】
ここで、同一ＣＡＺＡＣ系列から生成される巡回シフト量が互いに異なるＣＡＺＡＣ系列間での相互相関は０となる。よって、理想的な通信環境では、巡回シフト量が互いに異なるＣＡＺＡＣ系列（巡回シフト量０〜１１）でそれぞれ拡散され、コード多重された複数の応答信号は、基地局での相関処理により時間軸上で符号間干渉なく分離することができる。【０００８】
しかしながら、移動局での送信タイミングずれ、マルチパスによる遅延波、周波数オフセット等の影響により、複数の移動局からそれぞれ送信された応答信号は基地局に同時に到達するとは限らない。例えば、巡回シフト量０のＣＡＺＡＣ系列で拡散された応答信号の送信タイミングが正しい送信タイミングより遅れた場合は、巡回シフト量０のＣＡＺＡＣ系列の相関ピークが巡回シフト量１のＣＡＺＡＣ系列の検出窓に現れてしまう。また、巡回シフト量０のＣＡＺＡＣ系列で拡散された応答信号に遅延波がある場合には、その遅延波による干渉漏れが巡回シフト量１のＣＡＺＡＣ系列の検出窓に現れてしまう。これらの場合には、巡回シフト量１のＣＡＺＡＣ系列が巡回シフト量０のＣＡＺＡＣ系列からの干渉を受ける。よって、巡回シフト量０のＣＡＺＡＣ系列で拡散された応答信号と巡回シフト量１のＣＡＺＡＣ系列で拡散された応答信号との分離特性が劣化する。このように、互いに隣接する巡回シフト量のＣＡＺＡＣ系列を用いると、応答信号の分離特性が劣化する可能性がある。【０００９】
そこで、ＣＡＺＡＣ系列の拡散により複数の応答信号をコード多重する場合には、ＣＡＺＡＣ系列間での符号間干渉を抑えるためにＣＡＺＡＣ系列間に巡回シフト間隔を設けている。例えば、ＣＡＺＡＣ系列間の巡回シフト間隔を２として、巡回シフト量０〜１１の１２個のＣＡＺＡＣ系列のうち、巡回シフト量０,２,４,６,８,１０あるいは１,３,５,７,９,１１の６つのＣＡＺＡＣ系列のみを応答信号の１次拡散に用いることが検討されている。よって、系列長が４のウォルシュ系列を応答信号の２次拡散に用いる場合には、最大２４（６×４）の移動局からの応答信号をコード多重することができる。【００１０】
また、基地局は下り回線データのリソース割当結果を通知するための制御情報を移動局へ送信する。この制御情報は、例えば、移動局毎に用意されたＰＤＣＣＨ（Physical Downlink Control Channel），下りL1/L2ＣＣＨ（L1/L2 Control Channel），DL Grant（Downlink scheduling Grant）等の下り回線制御チャネルを用いて移動局へ送信される。各ＰＤＣＣＨは１つ又は複数のＣＣＥ（Control Channel Element）を占有する。１つのＰＤＣＣＨが複数のＣＣＥを占有する場合、１つのＰＤＣＣＨは連続する複数のＣＣＥを占有する。制御情報を通知するために必要なＣＣＥ数に従って、基地局は各移動局に対し複数のＰＤＣＣＨの中のいずれかのＰＤＣＣＨを割り当て、各ＰＤＣＣＨが占有するＣＣＥに対応する物理リソースに制御情報をマッピングして送信する。【００１１】
ＡＣＫ又はＮＡＣＫの応答信号は次の２種類に大別される。１つは、チャネル品質に基づいてスケジューラにより動的に割り当てられるリソースを用いたデータ送信に対するＡＣＫ／ＮＡＣＫ応答信号であり、もう１つは、主に、VoIP (Voice over IP)やストリーミングのサービス向けに利用され、予め割り当てられた複数回分のリソースを用いたデータ送信に対するＡＣＫ／ＮＡＣＫ応答信号である。以下、前者の動的に割り当てられるリソースを用いたデータ送信（ダイナミックスケジューリング（Dynamic scheduling）されるデータ送信）に対する応答信号をＤ−ＡＣＫといい、後者の予め割り当てられた複数回分のリソースを用いたデータ送信（パーシステントスケジューリング（Persistent scheduling）されるデータ送信）に対する応答信号をＰ−ＡＣＫという。【００１２】
移動局がＡＣＫ／ＮＡＣＫ応答信号を送信する場合、ＡＣＫ／ＮＡＣＫ用リソース（周波数帯域、巡回シフトＣＡＺＡＣ系列、直交系列）を知っている必要がある。このリソースの通知方法としては以下の方法が検討されている。【００１３】
Ｄ−ＡＣＫの送信に用いるＰＵＣＣＨを基地局から各移動局へ通知するためのシグナリングを不要にして、下り回線の通信リソースを効率よく使用するために、ＣＣＥとＰＵＣＣＨとを１対１で対応付けることが検討されている。各移動局は、この対応付けに従って、自局への制御情報がマッピングされている物理リソースに対応するＣＣＥから、自局からの応答信号の送信に用いるＰＵＣＣＨを判定することができる。つまり、各移動局は、自局への制御情報がマッピングされている物理リソースに対応するＣＣＥに基づいて、自局からの応答信号をＰＵＣＣＨの物理リソースにマッピングする。【００１４】
ここで、ＰＤＣＣＨが占有するＣＣＥの数は、ＰＤＣＣＨの変調方式及び符号化率（ＭＣＳ：Modulation and Coding Scheme）に応じて変化する。移動局が基地局から遠い場所に位置して移動局の受信品質が低い場合には、基地局はＰＤＣＣＨのＭＣＳレベルを低くする（変調多値数又は符号化率を低くする）一方でＣＣＥの数を増加させる。また、移動局が基地局から近い場所に位置して移動局の受信品質が高い場合には、基地局はＰＤＣＣＨのＭＣＳレベルを高くする（変調多値数又は符号化率を高くする）一方でＣＣＥの数を減少させる。つまり、ＭＣＳレベルが低いＰＤＣＣＨが占有するＣＣＥの数は多く、ＭＣＳレベルが高いＰＤＣＣＨが占有するＣＣＥの数は少ない。換言すれば、ＭＣＳレベルが低いＰＤＣＣＨを割り当てられた移動局に対するＣＣＥ数は多く、ＭＣＳレベルが高いＰＤＣＣＨを割り当てられた移動局に対するＣＣＥ数は少ない。例えば、ＰＤＣＣＨの符号化率が２／３,１／３,１／６のいずれかであり、符号化率２／３のＰＤＣＣＨが１つのＣＣＥを占有するものとした場合、符号化率１／３のＰＤＣＣＨは２つのＣＣＥを占有し、符号化率１／６のＰＤＣＣＨは４つのＣＣＥを占有する。【００１５】
そして、このように１移動局に対し複数のＣＣＥが割り当てられる場合に、移動局がそれら複数のＣＣＥにおいて最小番号のＣＣＥに対応するＰＵＣＣＨのみを用いてＡＣＫ／ＮＡＣＫ応答信号を送信することが検討されている（非特許文献２参照）。【００１６】
Ｐ−ＡＣＫの送信に用いるＰＵＣＣＨを基地局から各移動局へ通知するためのシグナリングに関して、非特許文献３によれば、パーシステントスケジューリングの初回データ送信の送信パラメータは予め通知されているため、データ送受信時にはＰＤＣＣＨが付随しない。したがって、Ｐ−ＡＣＫ用リソースもデータ送受信の前に予め割り当て及び通知が行われる。したがって、Ｐ−ＡＣＫ用リソースはＤ−ＡＣＫ用リソースとは別に確保することが開示されている。【００１７】
Ｐ−ＡＣＫ用リソースを確保する方法として、非特許文献４には、ＰＤＣＣＨ送信に利用するＣＣＥの数が少ない場合などは、番号の大きいＣＣＥはＰＤＣＣＨ送信に利用されないため、これら番号の大きいＣＣＥに該当するＡＣＫ／ＮＡＣＫ用リソースを、他のデータ用のリソースとして割り当てることが開示されている。Ｐ−ＡＣＫ用リソースの予約に対して、非特許文献４に記載の方法を適用した場合、ＰＤＣＣＨが割り当てられる確率の低いＣＣＥ番号をＰ−ＡＣＫ用リソースとして確保する（図２参照）。
【非特許文献１】R1-072315, Nokia Siemens Networks, Nokia, "Multiplexing capability of CQIs and ACK/NACKsform different UEs," 3GPP TSG-RAN WG1 Meeting #48bis, St.Julians, Malta, March 26-30, 2007
【非特許文献２】R1-072348, LG Electronics, "Allocation of UL ACK/NACK index", 3GPP TSG-RAN WG1 Meeting #49, Kobe, Japan, May 7-11, 2007
【非特許文献３】R1-072439, NTT DoCoMo, Fujitsu, Mitsubishi Electric, "Implicit Resource Allocation of ACK/NACK Signal in E-UTRA Uplink," 3GPP TSG RAN WG1 Meeting #49, Kobe, Japan, May 7 - 11, 2007
【非特許文献４】R1-073122, Samsung, "Implicit mapping of CCE to UL ACK/NACK resource," 3GPP TSG-RAN WG1 Meeting #49bis, Orlando, USA, June 25-39, 2007
【発明の開示】
【発明が解決しようとする課題】
【００１８】
しかしながら、ＰＤＣＣＨ送信に複数ＣＣＥが割当てられた場合、図３に示すように、利用されないＡＣＫ／ＮＡＣＫ用リソース（巡回シフト系列、ウォルシュ系列など）が発生する。したがって、複数ＣＣＥが割り当てられるＰＤＣＣＨ数が増加するほど、同時に送信可能なＡＣＫ／ＮＡＣＫ数が制限される。送信可能なＡＣＫ／ＮＡＣＫ数が制限されると、ＰＤＣＣＨ数が制限されることとなり、ＰＤＣＣＨと対となるＰＤＳＣＨ数も制限されることとなる。【００１９】
本発明の目的は、同時に送信可能なＰＵＣＣＨ等の上り回線制御チャネル数（ＡＣＫ／ＮＡＣＫ用リソース数）を維持しつつ、Ｄ−ＡＣＫ及びＰ−ＡＣＫのリソース割り当てを行う無線通信基地局装置、無線通信端末装置及び応答信号割当方法を提供することである。
【課題を解決するための手段】
【００２０】
本発明の無線通信基地局装置は、動的にスケジューリングを行うダイナミックスケジューリングが行われた無線通信端末装置に送信した下り回線データに対して、前記無線通信端末装置が上り回線におけるＡＣＫ又はＮＡＣＫの送信に用いるリソースと、下り回線データの送信に対するＰＤＣＣＨに割り当てられたＣＣＥ番号とが一対一に対応付けられた無線通信基地局装置であって、１つのＰＤＣＣＨに複数のＣＣＥが割り当てられた場合、奇数と偶数のいずれか一方のＣＣＥ番号に対応するリソースをダイナミックスケジューリングされる無線通信端末装置が送信するＡＣＫ又はＮＡＣＫ用に割り当て、奇数と偶数のいずれか他方のＣＣＥ番号に対応するリソースをパーシステントスケジューリングされる無線通信端末装置が送信するＡＣＫ又はＮＡＣＫ用に割り当てるリソース制御手段と、リソースが割り当てられた無線通信端末装置に割り当てたリソースを通知する通知手段と、を具備する構成を採る。【００２１】
本発明の無線通信端末装置は、動的にスケジューリングを行うダイナミックスケジューリングが行われ、送信した上り回線データに対して、無線通信基地局装置が下り回線におけるＡＣＫ又はＮＡＣＫの送信に用いるリソースと、ＰＵＳＣＨのスケジューリング情報を含むＰＤＣＣＨに割り当てられたＣＣＥ番号とが一対一に対応付けられた無線通信端末装置であって、１つのＰＤＣＣＨに複数のＣＣＥが割り当てられた場合、奇数と偶数のいずれか一方のＣＣＥ番号に対応するリソースをダイナミックスケジューリングされた場合に送信するＡＣＫ又はＮＡＣＫ用に割り当て、奇数と偶数のいずれか他方のＣＣＥ番号に対応するリソースをパーシステントスケジューリングされた場合に送信するＡＣＫ又はＮＡＣＫ用に割り当てるリソース制御手段と、リソースが割り当てられた無線通信基地局装置に割り当てたリソースを通知する通知手段と、を具備する構成を採る。【００２２】
本発明の応答信号割当方法は、動的にスケジューリングを行うダイナミックスケジューリングが行われた無線通信端末装置に送信した下り回線データに対して、前記無線通信端末装置が上り回線におけるＡＣＫ又はＮＡＣＫの送信に用いるリソースと、下り回線データの送信に対するＰＤＣＣＨに割り当てられたＣＣＥ番号とが一対一に対応付けられ、１つのＰＤＣＣＨに複数のＣＣＥが割り当てられた場合、奇数と偶数のいずれか一方のＣＣＥ番号に対応するリソースをダイナミックスケジューリングされる無線通信端末装置が送信するＡＣＫ又はＮＡＣＫ用に割り当て、奇数と偶数のいずれか他方のＣＣＥ番号に対応するリソースをパーシステントスケジューリングされる無線通信端末装置が送信するＡＣＫ又はＮＡＣＫ用に割り当てるようにした。
【発明の効果】
【００２３】
本発明によれば、ＰＵＣＣＨ等の上り回線制御チャネルの利用効率を維持しつつ、Ｄ−ＡＣＫ及びＰ−ＡＣＫのリソース割り当てを行うことができる。
【図面の簡単な説明】
【００２４】
【図１】ＡＣＫ／ＮＡＣＫ応答信号の拡散方法を示す図
【図２】非特許文献４に記載のＤ−ＡＣＫ及びＰ−ＡＣＫのリソース割り当ての様子を示す図
【図３】空きリソースが生じる様子を示す図
【図４】本発明の実施の形態に係る基地局の構成を示すブロック図
【図５】本発明の実施の形態に係る移動局の構成を示すブロック図
【図６】Ｄ−ＡＣＫ及びＰ−ＡＣＫのリソース割り当ての様子を示す図
【図７】従来のＰＵＣＣＨリソース割り当てと割り当て状況を示す図
【図８】本実施の形態のＰＵＣＣＨリソース割り当てと割り当て状況を示す図
【図９】マッピングパターンＡにおいて、非特許文献４に記載の方法と本実施の形態のＰＵＣＣＨリソース割り当てと割り当て状況を比較した様子を示す図
【図１０】マッピングパターンＢにおいて、非特許文献４に記載の方法と本実施の形態のＰＵＣＣＨリソース割り当てと割り当て状況を比較した様子を示す図
【発明を実施するための最良の形態】
【００２５】
以下、本発明の実施の形態について、図面を参照して詳細に説明する。【００２６】
ここで、基地局が各移動局に割り当てるすべての上り回線制御チャネルの総称がＰＵＣＣＨである場合がある。しかし、以下の説明では、説明の便宜上、移動局毎に用意されたそれぞれの上り回線制御チャネルをＰＵＣＣＨと称する。なお、前者のＰＵＣＣＨと後者のＰＵＣＣＨとの間に技術的相違はないため、いずれのＰＵＣＣＨに対しても本発明を適用することができる。【００２７】
同様に、基地局が各移動局に割り当てるすべての下り回線制御チャネルの総称がＰＤＣＣＨである場合がある。しかし、以下の説明では、説明の便宜上、移動局毎に用意されたそれぞれの下り回線制御チャネルをＰＤＣＣＨと称する。なお、前者のＰＤＣＣＨと後者のＰＤＣＣＨとの間に技術的相違はないため、いずれのＰＤＣＣＨに対しても本発明を適用することができる。【００２８】
本実施の形態に係る基地局１００の構成を図４に示し、本実施の形態に係る移動局２００の構成を図５に示す。【００２９】
なお、説明が煩雑になることを避けるために、図４では、本発明と密接に関連する下り回線データの送信、及び、その下り回線データに対する応答信号の上り回線での受信に係わる構成部を示し、上り回線データの受信に係わる構成部の図示および説明を省略する。同様に、図５では、本発明と密接に関連する下り回線データの受信、および、その下り回線データに対する応答信号の上り回線での送信に係わる構成部を示し、上り回線データの送信に係わる構成部の図示および説明を省略する。【００３０】
図４に示す基地局１００において、下り回線データのリソース割当結果が制御情報生成部１０１及びマッピング部１０８に入力される。【００３１】
制御情報生成部１０１は、リソース割当結果を通知するための制御情報を移動局毎に生成し符号化部１０２に出力する。移動局毎の制御情報には、どの移動局宛ての制御情報であるかを示す移動局ＩＤ情報が含まれる。例えば、制御情報の通知先の移動局のＩＤ番号でマスキングされたＣＲＣビットが移動局ＩＤ情報として制御情報に含まれる。移動局毎の制御情報は符号化部１０２で符号化され、変調部１０３で変調されてマッピング部１０８に入力される。また、制御情報生成部１０１は、ＰＵＣＣＨリソース制御部１０４より入力されるＤ−ＡＣＫ用割当ＣＣＥ番号情報に基づいて、制御情報を通知するために必要なＣＣＥ数（ＣＣＥ占有数）に応じたＰＤＣＣＨ割当を各移動局のＰＤＣＣＨ毎に行い、割り当てたＰＤＣＣＨに対応するＣＣＥ番号をマッピング部１０８に出力する。なお、符号化部１０２及び変調部１０３は、上記のように、１つのＰＤＣＣＨが占有するＣＣＥの数に応じて制御情報の符号化率及び変調多値数を変化させる。【００３２】
ＰＵＣＣＨリソース制御部１０４は、Ｄ−ＡＣＫ、Ｐ−ＡＣＫなど種別の異なる制御情報毎に異なるＰＵＣＣＨ送信用リソースの割り当て及び制御を行う。ここでは、まず、ＰＵＣＣＨリソース制御部１０４は、移動局がＤ−ＡＣＫ送信用に利用可能なＣＣＥ番号を決定し、決定したＤ−ＡＣＫ用割当ＣＣＥ番号情報を制御情報生成部１０１に出力する。また、ＰＵＣＣＨリソース制御部１０４は、パーシステントスケジューリングによりリソース割り当てされる各移動局に予め割り当てるＰ−ＡＣＫ用リソース情報を上位レイヤの制御情報として生成し、送信データとして送信する。符号化部１０５に出力されるＰ−ＡＣＫ用リソース情報は、割り当てた移動局に対して、下り送信データとして各移動局に通知される。なお、ＰＵＣＣＨリソース制御部１０４の詳細な動作は後述する。【００３３】
一方、符号化部１０５は、各移動局への送信データ（下り回線データ）及びＰＵＣＣＨリソース制御部１０４から出力されたＰ−ＡＣＫ用リソース情報を符号化して再送制御部１０６に出力する。【００３４】
再送制御部１０６は、初回送信時には、符号化後の送信データを移動局毎に保持するとともに変調部１０７に出力する。再送制御部１０６は、各移動局からのＡＣＫが判定部１１７から入力されるまで送信データを保持する。また、再送制御部１０６は、各移動局からのＮＡＣＫが判定部１１７から入力された場合、すなわち、再送時には、そのＮＡＣＫに対応する送信データを変調部１０７に出力する。【００３５】
変調部１０７は、再送制御部１０６から入力される符号化後の送信データを変調してマッピング部１０８に出力する。【００３６】
マッピング部１０８は、制御情報の送信時には、変調部１０３から入力される制御情報を制御情報生成部１０１から入力されるＣＣＥ番号に従って物理リソースにマッピングしてＩＦＦＴ部１０９に出力する。つまり、マッピング部１０８は、移動局毎の制御情報を、ＯＦＤＭシンボルを構成する複数のサブキャリアにおいてＣＣＥ番号に対応するサブキャリアにマッピングする。【００３７】
一方、下り回線データの送信時には、マッピング部１０８は、リソース割当結果に従って各移動局への送信データを物理リソースにマッピングしてＩＦＦＴ部１０９に出力する。つまり、マッピング部１０８は、移動局毎の送信データを、リソース割当結果に従ってＯＦＤＭシンボルを構成する複数のサブキャリアのいずれかにマッピングする。【００３８】
ＩＦＦＴ部１０９は、制御情報または送信データがマッピングされた複数のサブキャリアに対してＩＦＦＴを行ってＯＦＤＭシンボルを生成し、ＣＰ（Cyclic Prefix）付加部１１０に出力する。【００３９】
ＣＰ付加部１１０は、ＯＦＤＭシンボルの後尾部分と同じ信号をＣＰとしてＯＦＤＭシンボルの先頭に付加する。【００４０】
無線送信部１１１は、ＣＰ付加後のＯＦＤＭシンボルに対しＤ／Ａ変換、増幅及びアップコンバート等の送信処理を行ってアンテナ１１２から移動局２００（図５）へ送信する。【００４１】
無線受信部１１３は、移動局２００から送信されたＡＣＫ／ＮＡＣＫ応答信号をアンテナ１１２を介して受信し、ＡＣＫ／ＮＡＣＫ応答信号に対しダウンコンバート、Ａ／Ｄ変換等の受信処理を行う。【００４２】
ＣＰ除去部１１４は、受信処理後のＡＣＫ／ＮＡＣＫ応答信号に付加されているＣＰを除去する。【００４３】
逆拡散部１１５は、移動局２００において２次拡散に用いられたウォルシュ系列でＡＣＫ／ＮＡＣＫ応答信号を逆拡散し、逆拡散後のＡＣＫ／ＮＡＣＫ応答信号を相関処理部１１６に出力する。【００４４】
相関処理部１１６は、逆拡散部１１５から入力されるＡＣＫ／ＮＡＣＫ応答信号、すなわち、ＣＡＺＡＣ系列で拡散されているＡＣＫ／ＮＡＣＫ応答信号と、移動局２００において１次拡散に用いられたＣＡＺＡＣ系列との相関値を求め判定部１１７に出力する。【００４５】
判定部１１７は、時間軸上に移動局毎に設定された検出窓を用いて、移動局毎に相関値の閾値判定等を行うことにより、移動局毎のＡＣＫ／ＮＡＣＫ応答信号を検出する。例えば、判定部１１７は、移動局＃１用の検出窓＃１において相関値が所定の閾値を超えた場合には、移動局＃１からのＡＣＫ／ＮＡＣＫ応答信号を検出する。そして、判定部１１７は、検出されたＡＣＫ／ＮＡＣＫ応答信号がＡＣＫ又はＮＡＣＫのいずれであるかを判定し、移動局毎のＡＣＫ又はＮＡＣＫを再送制御部１０６に出力する。【００４６】
一方、図５に示す移動局２００において、無線受信部２０２は、基地局１００から送信されたＯＦＤＭシンボルをアンテナ２０１を介して受信し、ＯＦＤＭシンボルに対しダウンコンバート、Ａ／Ｄ変換等の受信処理を行う。【００４７】
ＣＰ除去部２０３は、受信処理後のＯＦＤＭシンボルに付加されているＣＰを除去する。【００４８】
ＦＦＴ（Fast Fourier Transform）部２０４は、ＯＦＤＭシンボルに対してＦＦＴを行って複数のサブキャリアにマッピングされている制御情報または下り回線データを得て、それらを抽出部２０５に出力する。【００４９】
抽出部２０５は、制御情報の受信時には、複数のサブキャリアから制御情報を抽出して復調部２０６に出力する。この制御情報は、復調部２０６で復調され、復号部２０７で復号されて判定部２０８に入力される。【００５０】
復号部２０７から入力された制御情報が自局宛ての制御情報であるか否かを判定する判定部２０８は、ＣＲＣ＝ＯＫ（誤り無し）となった制御情報を自局宛ての制御情報であると判定した場合、自局宛ての制御情報、すなわち、自局に対する下り回線データのリソース割当結果を抽出部２０５に出力する。また、判定部２０８は、自局宛ての制御情報（ＰＤＣＣＨ）がマッピングされていたサブキャリアに対応するＣＣＥ番号を判定し、判定結果（ＣＣＥ番号）を制御部２０９に出力する。【００５１】
制御部２０９は、判定部２０８から入力されたＣＣＥ番号に基づいて、自局の応答信号の送信に用いることが可能なＰＵＣＣＨリソース（Ｄ−ＡＣＫ用リソース）を判定し、判定結果（ＰＵＣＣＨ番号）に基づいて、拡散部２１５での１次拡散に用いるＺＣ系列の巡回シフト量及び拡散部２１８での２次拡散に用いるウォルシュ系列を制御する。すなわち、制御部２０９は、判定結果（ＰＵＣＣＨ番号）に基づいて選択した巡回シフト量のＺＣ系列を拡散部２１５に設定するとともに、判定結果（ＰＵＣＣＨ番号）に基づいて選択したウォルシュ系列を拡散部２１８に設定する。【００５２】
一方、下り回線データの受信時には、抽出部２０５は、判定部２０８から入力されるリソース割当結果に従って、複数のサブキャリアから自局宛ての下り回線データを抽出して復調部２１０に出力する。この下り回線データは、復調部２１０で復調され、復号部２１１で復号されてＣＲＣ部２１２に入力される。【００５３】
ＣＲＣ部２１２は、復号後の下り回線データに対してＣＲＣを用いた誤り検出を行って、ＣＲＣ＝ＯＫ（誤り無し）の場合はＡＣＫを応答信号として生成し、また、ＣＲＣ＝ＮＧ（誤り有り）の場合はＮＡＣＫを応答信号として生成する。ＣＲＣ部２１２は生成した応答信号を変調部２１４に出力する。また、ＣＲＣ部２１２は、ＣＲＣ＝ＯＫ（誤り無し）の場合、復号後の下り回線データを受信データとして出力する。また、ＣＲＣ部２１２は、受信した上位レイヤの制御情報に含まれるＰ−ＡＣＫ用リソース情報をＰ−ＡＣＫリソース制御部２１３に出力する。【００５４】
Ｐ−ＡＣＫリソース制御部２１３は、ＣＲＣ部２１２から入力されたＰ−ＡＣＫ用リソース情報に基づいて、拡散部２１５での１次拡散に用いるＣＡＺＡＣ系列の巡回シフト量及び拡散部２１８での２次拡散に用いるウォルシュ系列を制御する。すなわち、Ｐ−ＡＣＫリソース制御部２１３は、ＣＲＣ部２１２から入力されたＰ−ＡＣＫ用リソース情報で基地局から指示された情報に基づいて選択した巡回シフト量のＣＡＺＡＣ系列を拡散部２１５に設定するとともに、Ｐ−ＡＣＫ用リソース情報で基地局から指示された情報に基づいて選択したウォルシュ系列を拡散部２１８に設定する。【００５５】
変調部２１４は、ＣＲＣ部２１２から入力される応答信号を変調して拡散部２１５に出力する。【００５６】
拡散部２１５は、図１に示したように、制御部２０９又はＰ−ＡＣＫリソース制御部２１３によって設定されたＣＡＺＡＣ系列でＡＣＫ／ＮＡＣＫ応答信号を１次拡散し、１次拡散後のＡＣＫ／ＮＡＣＫ応答信号をＩＦＦＴ部２１６に出力する。【００５７】
ＩＦＦＴ部２１６は、図１に示したように、１次拡散後のＡＣＫ／ＮＡＣＫ応答信号に対してＩＦＦＴを行い、ＩＦＦＴ後のＡＣＫ／ＮＡＣＫ応答信号をＣＰ付加部２１７に出力する。【００５８】
ＣＰ付加部２１７は、ＩＦＦＴ後のＡＣＫ／ＮＡＣＫ応答信号の後尾部分と同じ信号をＣＰとしてそのＡＣＫ／ＮＡＣＫ応答信号の先頭に付加する。【００５９】
拡散部２１８は、図１に示したように、制御部２０９又はＰ−ＡＣＫリソース制御部２１３によって設定されたウォルシュ系列でＣＰ付加後のＡＣＫ／ＮＡＣＫ応答信号を２次拡散し、２次拡散後のＡＣＫ／ＮＡＣＫ応答信号を無線送信部２１９に出力する。【００６０】
なお、拡散部２１５及び拡散部２１８では、受信したデータ信号がＰＤＣＣＨを伴う場合、つまり、ダイナミックスケジューリングされる場合は、ＰＵＣＣＨ送信時に用いる巡回シフトＣＡＺＡＣ系列及びウォルシュ系列が制御部２０９により設定される。また、受信したデータ信号がＰＤＣＣＨを伴わない場合、つまり、パーシステントスケジューリングされる場合は、ＰＵＣＣＨ送信時に用いる巡回シフトＣＡＺＡＣ系列及びウォルシュ系列がＰ−ＡＣＫリソース制御部２１３により設定される。【００６１】
無線送信部２１９は、２次拡散後のＡＣＫ／ＮＡＣＫ応答信号に対しＤ／Ａ変換、増幅及びアップコンバート等の送信処理を行ってアンテナ２０１から基地局１００（図４）へ送信する。【００６２】
次いで、基地局１００のＰＵＣＣＨリソース制御部１０４の動作について詳細に説明する。【００６３】
上記のように、１移動局に対し複数のＣＣＥが割り当てられる場合、移動局がそれら複数のＣＣＥにおいて最小番号のＣＣＥに対応するＰＵＣＣＨのみを用いてＡＣＫ／ＮＡＣＫ応答信号を送信すると、それら複数のＣＣＥにおいて最小番号以外のＣＣＥに対応するＰＵＣＣＨは使用されない。つまり、１移動局に対し複数のＣＣＥが割り当てられる場合には、使用されない応答信号用物理リソース（空き物理リソース）が発生する。【００６４】
そこで、本実施の形態では、１移動局に対し複数のＣＣＥが割り当てられる場合に、上記のようにして生じる空き物理リソースを図６に示すようにＰ−ＡＣＫ用に割り当てるリソースとして利用する。【００６５】
より具体的には、ダイナミックスケジューリングされる場合において、複数のＣＣＥがＰＤＣＣＨ送信時に割り当てられた場合、利用可能な複数のＣＣＥ番号のうち、奇数のＣＣＥ番号に対応するＰＵＣＣＨリソースをＤ−ＡＣＫ送信用に選択する。一方、偶数のＣＣＥ番号に対応するＰＵＣＣＨリソースに対して、パーシステントスケジューリングされる移動局のＰ−ＡＣＫを割り当てる。【００６６】
ＰＤＣＣＨ送信に利用するＣＣＥ数が１つの場合は、そのＣＣＥに対応するＰＵＣＣＨリソースを選択する。【００６７】
ＰＵＣＣＨで利用可能なＣＣＥ数を１２とした場合の、従来のＰＵＣＣＨリソース割り当てと割り当て状況を図７に示し、本実施の形態のＰＵＣＣＨリソース割り当てと割り当て状況を図８に示す。【００６８】
従来のＰＵＣＣＨ用リソース割当方法では、Ｐ−ＡＣＫ用リソースをＣＣＥ＃８〜＃１１を予め確保し、残りのＣＣＥ＃０〜＃７をＤ−ＡＣＫ用リソースとして用いる。したがって、ＰＤＣＣＨ送信時に複数のＣＣＥが利用された場合、空きリソースが発生し、ＰＵＣＣＨの利用効率が低下する。また、送信可能なＰＤＣＣＨの数も図７に示す場合、４つに制限される。【００６９】
これに対して、本実施の形態のＰＵＣＣＨリソース割当方法では、奇数番号のＣＣＥ（ＣＣＥ＃５，＃７，＃９，＃１１）をＰ−ＡＣＫ用リソースとして予め確保する。残りのＣＣＥをＤ−ＡＣＫ用リソースとして用いるが、ＰＤＣＣＨ送信時に複数のＣＣＥが利用された場合は、偶数番号のＣＣＥを選択する。この場合、さらに、ＣＣＥ＃１とＣＣＥ＃３をＰ−ＡＣＫ用リソースとして追加することが可能であり、また送信可能なＰＤＣＣＨ数も１つ増加できることが分かる。【００７０】
なお、利用可能なＣＣＥ数が３あるいは３以上の場合は、Ｄ−ＡＣＫ用として複数の偶数ＣＣＥ番号が存在することがあるが、この場合は予め選択する偶数ＣＣＥ番号を基地局と移動局間で決めておけばよい。例えば、最も小さい、あるいは、最も大きい偶数ＣＣＥ番号を選択するようにしてもよい。または、本実施の形態に記載のＣＣＥ決定方法を再帰的に利用するようにしてもよい。すなわち、さらに利用可能なＣＣＥ番号に対して偶数番目のＣＣＥ、奇数番目のＣＣＥのいずれを利用するか予め決めておくなどが考えられる。【００７１】
また、Ｄ−ＡＣＫに割り当てるＣＣＥ番号が奇数番号であるのか、偶数番号であるのかは、予めシステムで決められていてもよいし、基地局から移動局に予め通知する構成であってもよい。【００７２】
さらに、非特許文献４のＣＣＥとＰＵＣＣＨリソースのマッピング例を用いた場合の従来方法と本実施の形態のＰＵＣＣＨ用リソース割り当てと割り当て状況を比較したものを図９及び図１０に示す。図９ＡはマッピングパターンＡを示し、図９ＢはマッピングパターンＡにおける従来方法によるＰＵＣＣＨ用リソース割り当て状況を示し、図９ＣはマッピングパターンＡにおける本実施の形態のＰＵＣＣＨ用リソース割り当て状況を示す。また、図１０ＡはマッピングパターンＢを示し、図１０ＢはマッピングパターンＢにおける従来方法によるＰＵＣＣＨ用リソース割り当て状況を示し、図１０ＣはマッピングパターンＢにおける本実施の形態のＰＵＣＣＨ用リソース割り当て状況を示す。【００７３】
次に、移動局２００の制御部２０９およびＰ−ＡＣＫリソース制御部２１３の動作について説明する。【００７４】
まず、移動局２００が下り回線で受信するＰＤＳＣＨがダイナミックスケジューリングされる場合は、先述のように、受信するＰＤＳＣＨにＰＤＣＣＨが伴うため、このＰＤＳＣＨに対応するＡＣＫ／ＮＡＣＫ応答信号を送信するためのＤ−ＡＣＫリソース情報は、ＰＤＣＣＨが割り当てられているＣＣＥ番号に基づいて決定される。【００７５】
より具体的には、制御部２０９では、ダイナミックスケジューリングされる場合において、複数のＣＣＥがＰＤＣＣＨ送信時に割り当てられた場合、利用可能な複数のＣＣＥ番号のうち、奇数のＣＣＥ番号に対応するＰＵＣＣＨリソースがＤ−ＡＣＫ送信用に選択される。【００７６】
なお、Ｄ−ＡＣＫに割り当てるＣＣＥ番号が奇数番号であるのか、偶数番号であるのかは、予めシステムで決められていている。もしくは、基地局から移動局に予め通知されている。【００７７】
ＰＤＣＣＨ送信に利用するＣＣＥ数が１つの場合は、そのＣＣＥに対応するＰＵＣＣＨリソースを選択する。【００７８】
例えば、図８に示すようにＰＵＣＣＨで利用可能なＣＣＥ数を１２とした場合に、移動局宛てのＰＤＣＣＨがＰＤＣＣＨ＃０であった場合は、割当ＣＣＥ番号はＣＣＥ＃０及びＣＣＥ＃１であるため、偶数番号であるＣＣＥ＃０を選択決定する。また、移動局宛てのＰＤＣＣＨがＰＤＣＣＨ＃１であった場合は、割当ＣＣＥ番号はＣＣＥ＃２のみであるため、ＣＣＥ＃２に対応するＰＵＣＣＨリソースをＡＣＫ／ＮＡＣＫ用に選択する。さらに、移動局宛てのＰＤＣＣＨがＰＤＣＣＨ＃４であった場合は、割当ＣＣＥ番号はＣＣＥ＃８、＃９、＃１０であり、ＣＣＥ＃８及びＣＣＥ＃１０が偶数番号のＣＣＥに該当する。このように利用可能なＣＣＥ数が３あるいは３以上の場合は、Ｄ−ＡＣＫ用として複数の偶数ＣＣＥ番号が存在することがあるが、この場合は予め選択する偶数ＣＣＥ番号を基地局と移動局間で決めておく。例えば、最も小さい、あるいは、最も大きい偶数ＣＣＥ番号を選択するようにしてもよい。または、本実施の形態に記載のＣＣＥ決定方法を再帰的に利用するようにしてもよい。すなわち、さらに利用可能なＣＣＥ番号に対して偶数番目のＣＣＥ、奇数番目のＣＣＥのいずれを利用するか予め決めておくなどが考えられる。【００７９】
移動局が下り回線で受信するＰＤＳＣＨがパーシステントスケジューリングされる場合は、基地局から予めＰＤＳＣＨに対応するＡＣＫ／ＮＡＣＫ応答信号を送信するためのＰ−ＡＣＫリソース情報を通知されるため、移動局はこの基地局より予め通知されるＰ−ＡＣＫリソース情報に基づいて、Ｐ−ＡＣＫリソース制御部２１３において、割り当てられた巡回シフト量に対応するＣＡＺＡＣ系列、及び、ウォルッシュ系列を拡散部２１５及び拡散部２１８にそれぞれ指示し、ＡＣＫ／ＮＡＣＫ応答信号を拡散して送信する。【００８０】
このように本実施の形態によれば、複数のＣＣＥがＰＤＣＣＨ送信時に割り当てられた場合、利用可能な複数のＣＣＥ番号のうち、奇数のＣＣＥ番号に対応するＰＵＣＣＨリソースをＤ−ＡＣＫ用に割り当て、偶数のＣＣＥ番号に対応するＰＵＣＣＨリソースをＰ−ＡＣＫ用に割り当てることにより、空きリソースを解消し、ＰＵＣＣＨリソースの利用効率を向上させることができる。【００８１】
なお、本実施の形態では、利用可能な複数のＣＣＥ番号のうち、奇数のＣＣＥ番号に対応するＰＵＣＣＨリソースをＤ−ＡＣＫ用に割り当て、偶数のＣＣＥ番号に対応するＰＵＣＣＨリソースをＰ−ＡＣＫ用に割り当てる場合について説明したが、本発明はこれに限らず、奇数のＣＣＥ番号に対応するＰＵＣＣＨリソースをＰ−ＡＣＫ用に割り当て、偶数のＣＣＥ番号に対応するＰＵＣＣＨリソースをＤ−ＡＣＫ用に割り当てるようにしてもよい。【００８２】
また、本実施の形態では、Ｐ−ＡＣＫに加えて、あるいはＰ−ＡＣＫの代わりにスケジューリングリクエスト（Scheduling Request）、ＣＱＩなど他の制御情報を多重する場合、スケジューリングリクエスト及びＣＱＩ用リソース情報もＰＵＣＣＨリソース制御部１０４から通知されればよい。この場合、スケジューリングリクエスト及びＣＱＩ用のＰＵＣＣＨリソースはＰ−ＡＣＫと同様の方法でリソース割り当て及び通知が行われる。【００８３】
また、本実施の形態では、複数のＣＣＥがＰＤＣＣＨ送信時に割り当てられた場合、利用可能な複数のＣＣＥ番号のうち、奇数のＣＣＥ番号に対応するＰＵＣＣＨリソースをＤ−ＡＣＫ用に割り当て、偶数のＣＣＥ番号に対応するＰＵＣＣＨリソースをＰ−ＡＣＫ用に割り当てる場合について説明したが、利用可能な複数のＣＣＥ番号のうち、次式（１）より得られるＲＮのうち、予め決められたいずれか１つの値に対応するＣＣＥ番号を選択し、残りのＲＮに対してパーシステントスケジューリングされる移動局のＡＣＫ／ＮＡＣＫ応答信号、帯域割当要求信号（ＳＲ：Scheduling Request、スケジューリングリクエスト）又はＣＱＩを割り当てるようにしてもよい。
ＲＮ＝（利用可能なＣＣＥ番号）ｍｏｄ Ｎ，（Ｎは正の整数）・・・（１）【００８４】
例えば、Ｎ＝４の場合、ＲＮ＝０に対してＰ−ＡＣＫを、ＲＮ＝１に対してＤ−ＡＣＫを、ＲＮ＝２に対してＣＱＩを、ＲＮ＝３に対してスケジューリングリクエストを割り当てるというように、制御情報を割り当てる。【００８５】
これにより、複数のＣＣＥ割り当てが多い場合に、Ｎ種類の異なるリソース割り当てを行うことができる。また、各上り制御チャネルの割合に対応したリソース確保及びリソース割り当てが可能となる。【００８６】
なお、この場合、複数のＲＮに対して同じ種類のリソースを割り当ててもよい。例えば、ＲＮ＝０に対してＤ−ＡＣＫを、ＲＮ＝１及びＲＮ＝２に対してＰ−ＡＣＫを、ＲＮ＝３に対してＣＱＩを割り当てるなどである。【００８７】
ちなみに、上記実施の形態におけるＣＣＥ番号の奇数と偶数とに分けたリソース割り当ては、上式（１）のＮ＝２に相当する。【００８８】
なお、上記実施の形態は、全てのＰＵＣＣＨリソースのうち一部に適用する構成であってもよい。つまり、異なる時間、周波数、符号空間を用いるＰＵＣＣＨの一部のＰＵＣＣＨリソースに対して、本発明を提供する構成であってもよい。【００８９】
また、上記実施の形態では、ＰＵＣＣＨリソースとして巡回シフト系列とウォルシュ系列（ＤＦＴ系列）に関わらず同じ符号リソースとして説明したが、複数ＣＣＥが割り当てられた場合にＤ−ＡＣＫ用リソースとして利用可能なＣＣＥ番号をウォルッシュ系列毎に異ならせてもよい。つまり、ウォルッシュ系列１に割り当てられているＣＣＥ＃０〜ＣＣＥ＃５にＰＤＣＣＨが割り当てられた場合は、偶数番号のＣＣＥに対応するＰＵＣＣＨリソースをＤ−ＡＣＫ用リソースとして適用し、奇数番号のＣＣＥに対応するＰＵＣＣＨリソースをＰ−ＡＣＫ用リソースとして適用する。一方で、ウォルッシュ系列２に割り当てられているＣＣＥ＃６〜ＣＣＥ＃１１にＰＤＣＣＨが割り当てられた場合は、奇数番号のＣＣＥに対応するＰＵＣＣＨリソースをＤ−ＡＣＫ用リソースとして適用し、偶数番号のＣＣＥに対応するＰＵＣＣＨリソースをＰ−ＡＣＫ用リソースとして適用する。【００９０】
また、本実施の形態では、ＰＤＳＣＨ（下りデータチャネル）に対するダイナミックスケジューリング用ＡＣＫ／ＮＡＣＫリソースの割り当て及びパーシステントスケジューリング用ＡＣＫ／ＮＡＣＫリソースの割り当てを例に説明したが、本発明はこれに限らず、ＰＵＳＣＨ（上りデータチャネル）に対するダイナミックスケジューリング用ＡＣＫ／ＮＡＣＫリソースの割り当て及びパーシステントスケジューリング用ＡＣＫ／ＮＡＣＫリソースの割り当てに対しても同様に適用できる。【００９１】
具体的には、ダイナミックスケジューリング用ＡＣＫ／ＮＡＣＫリソースが、ＰＵＳＣＨのスケジューリング情報を含む下り制御チャネル（ＰＤＣＣＨ）の送信時に割り当てられたＣＣＥ番号と、基地局から送信されるＡＣＫ／ＮＡＣＫ用リソースとが対応付けられたシステムにおいて、ＰＤＣＣＨ送信に１つ以上のＣＣＥが割り当てられた場合、ダイナミックスケジューリング用ＡＣＫ／ＮＡＣＫリソースとして送信時に用いるリソースは偶数のＣＣＥ番号（又は奇数のＣＣＥ番号）とし、奇数のＣＣＥ番号（偶数のＣＣＥ番号）に対応するＡＣＫ／ＮＡＣＫリソースは予め移動局に割り当て及び通知の必要な制御情報（パーシステントスケジューリング用ＡＣＫ／ＮＡＣＫリソース、ＣＱＩ、スケジューリングリクエストなど）として割り当てる。また、移動局もこのルールに従い、基地局より通知されるダイナミックスケジューリング用ＡＣＫ／ＮＡＣＫリソースを決定し、自局宛てのＡＣＫ／ＮＡＣＫ受信を行う。【００９２】
ダイナミックスケジューリングされるＰＵＳＣＨに対するＡＣＫ／ＮＡＣＫリソースを割り当てる場合、ＰＤＳＣＨに対するＡＣＫ／ＮＡＣＫリソースを割り当てる場合とは、以下の点で異なる。すなわち、ＰＵＳＣＨのスケジューリング情報を含むＰＤＣＣＨのＣＣＥ番号を用いて決定する点と、基地局が各移動局より送信されたＰＵＳＣＨを受信し、ＰＵＳＣＨ毎にＡＣＫ／ＮＡＣＫ信号を生成し、各移動局にＡＣＫ／ＮＡＣＫリソースを送信する点と、移動局が基地局に対してＰＵＳＣＨを送信し、自局宛てのＡＣＫ／ＮＡＣＫを受信する点とが異なる。その他の点は、基地局、移動局ともに、上記実施の形態と同様に、ダイナミックスケジューリング用ＡＣＫ／ＮＡＣＫリソースの割り当てルールに従い、基地局より通知されるＰＤＣＣＨのＣＣＥ番号からダイナミックスケジューリング用ＡＣＫ／ＮＡＣＫのリソースを決定する。【００９３】
また、本実施の形態では、ＤＬで送信される制御情報（ＰＤＣＣＨ）が送信されるＣＣＥに対応してＵＬで送信されるＤＬ用ＡＣＫ／ＮＡＣＫ応答信号を例に説明したが、本発明は、下り送信信号のリソースに対応してＵＬもしくはＤＬで送信するデータの無線リソースが決定される仕組みを用いた全ての無線リソース通知方法に対して適用可能であり、ＰＤＣＣＨ、ＣＣＥ、ＤＬ用ＡＣＫ／ＮＡＣＫ応答信号に限定されるものではない。したがって、ＰＤＣＣＨは第１のチャネル、ＣＣＥは第１のチャネルの送信に利用する物理的あるいは論理的なリソース割当単位、ＡＣＫ／ＮＡＣＫ応答信号は第２のチャネルと定義することができる。【００９４】
上記実施の形態では、本発明をハードウェアで構成する場合を例にとって説明したが、本発明はソフトウェアで実現することも可能である。【００９５】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【００９６】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。【００９７】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。【００９８】
２００７年９月２１日出願の特願２００７−２４５９２９の日本出願に含まれる明細書、図面及び要約書の開示内容は、すべて本願に援用される。
【産業上の利用可能性】
【００９９】
本発明にかかる無線通信基地局装置、無線通信端末装置及び応答信号割当方法は、ＰＵＣＣＨ等の上り回線制御チャネルの利用効率を維持しつつ、Ｄ−ＡＣＫ及びＰ−ＡＣＫのリソース割り当てを行うことができ、移動通信システム等に適用できる。
【図１】
2009037853.tif 000003
【図２】
2009037853.tif 000004
【図３】
2009037853.tif 000005
【図４】
2009037853.tif 000006
【図５】
2009037853.tif 000007
【図６】
2009037853.tif 000008
【図７】
2009037853.tif 000009
【図８】
2009037853.tif 000010
【図９】
2009037853.tif 000011
【図１０】
2009037853.tif 000012
【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
動的にスケジューリングを行うダイナミックスケジューリングが行われた無線通信端末装置に送信した下り回線データに対して、前記無線通信端末装置が上り回線におけるＡＣＫ又はＮＡＣＫの送信に用いるリソースと、下り回線データの送信に対するＰＤＣＣＨに割り当てられたＣＣＥ番号とが一対一に対応付けられた無線通信基地局装置であって、
１つのＰＤＣＣＨに複数のＣＣＥが割り当てられた場合、奇数と偶数のいずれか一方のＣＣＥ番号に対応するリソースをダイナミックスケジューリングされる無線通信端末装置が送信するＡＣＫ又はＮＡＣＫ用に割り当て、奇数と偶数のいずれか他方のＣＣＥ番号に対応するリソースをパーシステントスケジューリングされる無線通信端末装置が送信するＡＣＫ又はＮＡＣＫ用に割り当てるリソース制御手段と、
リソースが割り当てられた無線通信端末装置に割り当てたリソースを通知する通知手段と、
を具備する無線通信基地局装置。
【請求項２】
前記リソース制御手段は、１つのＰＤＣＣＨに複数のＣＣＥが割り当てられた場合、利用可能なＣＣＥ番号を正整数Ｎによって除算して得られる余りの値に予め対応付けた用途のリソースを無線通信端末装置に割り当てる請求項１に記載の無線通信基地局装置。
【請求項３】
動的にスケジューリングを行うダイナミックスケジューリングが行われ、送信した上り回線データに対して、無線通信基地局装置が下り回線におけるＡＣＫ又はＮＡＣＫの送信に用いるリソースと、ＰＵＳＣＨのスケジューリング情報を含むＰＤＣＣＨに割り当てられたＣＣＥ番号とが一対一に対応付けられた無線通信端末装置であって、
１つのＰＤＣＣＨに複数のＣＣＥが割り当てられた場合、奇数と偶数のいずれか一方のＣＣＥ番号に対応するリソースをダイナミックスケジューリングされた場合に送信するＡＣＫ又はＮＡＣＫ用に割り当て、奇数と偶数のいずれか他方のＣＣＥ番号に対応するリソースをパーシステントスケジューリングされた場合に送信するＡＣＫ又はＮＡＣＫ用に割り当てるリソース制御手段と、
リソースが割り当てられた無線通信基地局装置に割り当てたリソースを通知する通知手段と、
を具備する無線通信端末装置。
【請求項４】
動的にスケジューリングを行うダイナミックスケジューリングが行われた無線通信端末装置に送信した下り回線データに対して、前記無線通信端末装置が上り回線におけるＡＣＫ又はＮＡＣＫの送信に用いるリソースと、下り回線データの送信に対するＰＤＣＣＨに割り当てられたＣＣＥ番号とが一対一に対応付けられ、１つのＰＤＣＣＨに複数のＣＣＥが割り当てられた場合、奇数と偶数のいずれか一方のＣＣＥ番号に対応するリソースをダイナミックスケジューリングされる無線通信端末装置が送信するＡＣＫ又はＮＡＣＫ用に割り当て、奇数と偶数のいずれか他方のＣＣＥ番号に対応するリソースをパーシステントスケジューリングされる無線通信端末装置が送信するＡＣＫ又はＮＡＣＫ用に割り当てる応答信号割当方法。
【手続補正２】
【補正対象書類名】明細書
【補正対象項目名】全文
【補正方法】変更
【補正の内容】
【発明の詳細な説明】
【技術分野】
【０００１】
本発明は、無線通信基地局装置、無線通信端末装置及び応答信号割当方法に関する。
【背景技術】
【０００２】
移動体通信では、無線通信基地局装置（以下、「基地局」と省略する）から無線通信移動局装置（以下、「移動局」と省略する）への下り回線データに対してＡＲＱ（Automatic Repeat Request）が適用される。ＡＲＱでは、移動局は下り回線データの誤り検出結果を示す応答信号を基地局へフィードバックする。具体的には、移動局は下り回線データに対しＣＲＣ（Cyclic Redundancy Check）を行って、ＣＲＣ＝ＯＫ（誤り無し）であればＡＣＫ（Acknowledgment）を応答信号として、また、ＣＲＣ＝ＮＧ（誤り有り）であればＮＡＣＫ（Negative Acknowledgment）を応答信号として基地局へフィードバックする。この応答信号は、例えば、ＰＵＣＣＨ（Physical Uplink Control Channel），上りL1/L2ＣＣＨ（L1/L2 Control Channel）等の上り回線制御チャネルを用いて基地局へ送信される。
【０００３】
また、図１に示すように、ＣＡＺＡＣ（Constant Amplitude Zero Auto Correlation）系列及びウォルシュ（Walsh）系列を用いて、応答信号を拡散することにより、複数の移動局からそれぞれ送信される応答信号をコード多重することが検討されている（非特許文献１参照）。図１において、（Ｗ０,Ｗ１,Ｗ２,Ｗ３）は系列長４のウォルシュ系列を表わす。図１に示すように、移動局では、ＡＣＫ又はＮＡＣＫの応答信号が、まず周波数軸上でＣＡＺＡＣ系列（系列長１２）によって１ＳＣ−ＦＤＭＡ（Single Carrier-Frequency Division Multiple Access）シンボル内に１次拡散される。
【０００４】
次いで、１次拡散後の応答信号がＷ０〜Ｗ３にそれぞれ対応させてＩＦＦＴ（Inverse Fast Fourier Transform）される。周波数軸上で系列長１２のＣＡＺＡＣ系列によって拡散された応答信号は、このＩＦＦＴにより時間軸上の系列長１２のＣＡＺＡＣ系列に変換される。そして、ＩＦＦＴ後の信号がさらにウォルシュ系列（系列長４）を用いて２次拡散される。つまり、１つの応答信号は４つのＳＣ−ＦＤＭＡシンボルＳ０〜Ｓ３にそれぞれ配置される。他の移動局でも同様に、ＣＡＺＡＣ系列及びウォルシュ系列を用いて応答信号が拡散される。ただし、異なる移動局間では、時間軸上での巡回シフト（Cyclic Shift）量が互いに異なるＣＡＺＡＣ系列、または、互いに異なるウォルシュ系列が用いられる。
【０００５】
なお、ここでは、ＣＡＺＡＣ系列の時間軸上での系列長が１２であるため、同一ＣＡＺＡＣ系列から生成される巡回シフト量０〜１１の１２個のＣＡＺＡＣ系列を用いることができる。また、ウォルシュ系列の系列長が４であるため、互いに異なる４つのウォルシュ系列を用いることができる。よって、理想的な通信環境では、最大４８（１２×４）の移動局からの応答信号をコード多重することができる。
【０００６】
一方、移動局では、移動局毎に異なる巡回シフト量のＣＡＺＡＣ系列がＡＣＫ／ＮＡＣＫ用参照信号（以下、「ＲＳ：Reference Signal」という）として用いられ、系列長３の拡散符号（Ｆ０,Ｆ１,Ｆ２）を用いてＲＳが２次拡散される。したがって、理想的な通信環境では、最大３６（１２×３）の移動局からの応答信号をコード多重することができる。
【０００７】
ここで、同一ＣＡＺＡＣ系列から生成される巡回シフト量が互いに異なるＣＡＺＡＣ系列間での相互相関は０となる。よって、理想的な通信環境では、巡回シフト量が互いに異
なるＣＡＺＡＣ系列（巡回シフト量０〜１１）でそれぞれ拡散され、コード多重された複数の応答信号は、基地局での相関処理により時間軸上で符号間干渉なく分離することができる。
【０００８】
しかしながら、移動局での送信タイミングずれ、マルチパスによる遅延波、周波数オフセット等の影響により、複数の移動局からそれぞれ送信された応答信号は基地局に同時に到達するとは限らない。例えば、巡回シフト量０のＣＡＺＡＣ系列で拡散された応答信号の送信タイミングが正しい送信タイミングより遅れた場合は、巡回シフト量０のＣＡＺＡＣ系列の相関ピークが巡回シフト量１のＣＡＺＡＣ系列の検出窓に現れてしまう。また、巡回シフト量０のＣＡＺＡＣ系列で拡散された応答信号に遅延波がある場合には、その遅延波による干渉漏れが巡回シフト量１のＣＡＺＡＣ系列の検出窓に現れてしまう。これらの場合には、巡回シフト量１のＣＡＺＡＣ系列が巡回シフト量０のＣＡＺＡＣ系列からの干渉を受ける。よって、巡回シフト量０のＣＡＺＡＣ系列で拡散された応答信号と巡回シフト量１のＣＡＺＡＣ系列で拡散された応答信号との分離特性が劣化する。このように、互いに隣接する巡回シフト量のＣＡＺＡＣ系列を用いると、応答信号の分離特性が劣化する可能性がある。
【０００９】
そこで、ＣＡＺＡＣ系列の拡散により複数の応答信号をコード多重する場合には、ＣＡＺＡＣ系列間での符号間干渉を抑えるためにＣＡＺＡＣ系列間に巡回シフト間隔を設けている。例えば、ＣＡＺＡＣ系列間の巡回シフト間隔を２として、巡回シフト量０〜１１の１２個のＣＡＺＡＣ系列のうち、巡回シフト量０,２,４,６,８,１０あるいは１,３,５,７,９,１１の６つのＣＡＺＡＣ系列のみを応答信号の１次拡散に用いることが検討されている。よって、系列長が４のウォルシュ系列を応答信号の２次拡散に用いる場合には、最大２４（６×４）の移動局からの応答信号をコード多重することができる。
【００１０】
また、基地局は下り回線データのリソース割当結果を通知するための制御情報を移動局へ送信する。この制御情報は、例えば、移動局毎に用意されたＰＤＣＣＨ（Physical Downlink Control Channel），下りL1/L2ＣＣＨ（L1/L2 Control Channel），DL Grant（Downlink scheduling Grant）等の下り回線制御チャネルを用いて移動局へ送信される。各ＰＤＣＣＨは１つ又は複数のＣＣＥ（Control Channel Element）を占有する。１つのＰＤＣＣＨが複数のＣＣＥを占有する場合、１つのＰＤＣＣＨは連続する複数のＣＣＥを占有する。制御情報を通知するために必要なＣＣＥ数に従って、基地局は各移動局に対し複数のＰＤＣＣＨの中のいずれかのＰＤＣＣＨを割り当て、各ＰＤＣＣＨが占有するＣＣＥに対応する物理リソースに制御情報をマッピングして送信する。
【００１１】
ＡＣＫ又はＮＡＣＫの応答信号は次の２種類に大別される。１つは、チャネル品質に基づいてスケジューラにより動的に割り当てられるリソースを用いたデータ送信に対するＡＣＫ／ＮＡＣＫ応答信号であり、もう１つは、主に、VoIP (Voice over IP)やストリーミングのサービス向けに利用され、予め割り当てられた複数回分のリソースを用いたデータ送信に対するＡＣＫ／ＮＡＣＫ応答信号である。以下、前者の動的に割り当てられるリソースを用いたデータ送信（ダイナミックスケジューリング（Dynamic scheduling）されるデータ送信）に対する応答信号をＤ−ＡＣＫといい、後者の予め割り当てられた複数回分のリソースを用いたデータ送信（パーシステントスケジューリング（Persistent scheduling）されるデータ送信）に対する応答信号をＰ−ＡＣＫという。
【００１２】
移動局がＡＣＫ／ＮＡＣＫ応答信号を送信する場合、ＡＣＫ／ＮＡＣＫ用リソース（周波数帯域、巡回シフトＣＡＺＡＣ系列、直交系列）を知っている必要がある。このリソースの通知方法としては以下の方法が検討されている。
【００１３】
Ｄ−ＡＣＫの送信に用いるＰＵＣＣＨを基地局から各移動局へ通知するためのシグナリ
ングを不要にして、下り回線の通信リソースを効率よく使用するために、ＣＣＥとＰＵＣＣＨとを１対１で対応付けることが検討されている。各移動局は、この対応付けに従って、自局への制御情報がマッピングされている物理リソースに対応するＣＣＥから、自局からの応答信号の送信に用いるＰＵＣＣＨを判定することができる。つまり、各移動局は、自局への制御情報がマッピングされている物理リソースに対応するＣＣＥに基づいて、自局からの応答信号をＰＵＣＣＨの物理リソースにマッピングする。
【００１４】
ここで、ＰＤＣＣＨが占有するＣＣＥの数は、ＰＤＣＣＨの変調方式及び符号化率（ＭＣＳ：Modulation and Coding Scheme）に応じて変化する。移動局が基地局から遠い場所に位置して移動局の受信品質が低い場合には、基地局はＰＤＣＣＨのＭＣＳレベルを低くする（変調多値数又は符号化率を低くする）一方でＣＣＥの数を増加させる。また、移動局が基地局から近い場所に位置して移動局の受信品質が高い場合には、基地局はＰＤＣＣＨのＭＣＳレベルを高くする（変調多値数又は符号化率を高くする）一方でＣＣＥの数を減少させる。つまり、ＭＣＳレベルが低いＰＤＣＣＨが占有するＣＣＥの数は多く、ＭＣＳレベルが高いＰＤＣＣＨが占有するＣＣＥの数は少ない。換言すれば、ＭＣＳレベルが低いＰＤＣＣＨを割り当てられた移動局に対するＣＣＥ数は多く、ＭＣＳレベルが高いＰＤＣＣＨを割り当てられた移動局に対するＣＣＥ数は少ない。例えば、ＰＤＣＣＨの符号化率が２／３,１／３,１／６のいずれかであり、符号化率２／３のＰＤＣＣＨが１つのＣＣＥを占有するものとした場合、符号化率１／３のＰＤＣＣＨは２つのＣＣＥを占有し、符号化率１／６のＰＤＣＣＨは４つのＣＣＥを占有する。
【００１５】
そして、このように１移動局に対し複数のＣＣＥが割り当てられる場合に、移動局がそれら複数のＣＣＥにおいて最小番号のＣＣＥに対応するＰＵＣＣＨのみを用いてＡＣＫ／ＮＡＣＫ応答信号を送信することが検討されている（非特許文献２参照）。
【００１６】
Ｐ−ＡＣＫの送信に用いるＰＵＣＣＨを基地局から各移動局へ通知するためのシグナリングに関して、非特許文献３によれば、パーシステントスケジューリングの初回データ送信の送信パラメータは予め通知されているため、データ送受信時にはＰＤＣＣＨが付随しない。したがって、Ｐ−ＡＣＫ用リソースもデータ送受信の前に予め割り当て及び通知が行われる。したがって、Ｐ−ＡＣＫ用リソースはＤ−ＡＣＫ用リソースとは別に確保することが開示されている。
【００１７】
Ｐ−ＡＣＫ用リソースを確保する方法として、非特許文献４には、ＰＤＣＣＨ送信に利用するＣＣＥの数が少ない場合などは、番号の大きいＣＣＥはＰＤＣＣＨ送信に利用されないため、これら番号の大きいＣＣＥに該当するＡＣＫ／ＮＡＣＫ用リソースを、他のデータ用のリソースとして割り当てることが開示されている。Ｐ−ＡＣＫ用リソースの予約に対して、非特許文献４に記載の方法を適用した場合、ＰＤＣＣＨが割り当てられる確率の低いＣＣＥ番号をＰ−ＡＣＫ用リソースとして確保する（図２参照）。
【非特許文献１】R1-072315, Nokia Siemens Networks, Nokia, "Multiplexing capability of CQIs and ACK/NACKsform different UEs," 3GPP TSG-RAN WG1 Meeting #48bis, St.Julians, Malta, March 26-30, 2007
【非特許文献２】R1-072348, LG Electronics, "Allocation of UL ACK/NACK index", 3GPP TSG-RAN WG1 Meeting #49, Kobe, Japan, May 7-11, 2007
【非特許文献３】R1-072439, NTT DoCoMo, Fujitsu, Mitsubishi Electric, "Implicit Resource Allocation of ACK/NACK Signal in E-UTRA Uplink," 3GPP TSG RAN WG1 Meeting #49, Kobe, Japan, May 7 - 11, 2007
【非特許文献４】R1-073122, Samsung, "Implicit mapping of CCE to UL ACK/NACK resource," 3GPP TSG-RAN WG1 Meeting #49bis, Orlando, USA, June 25-39, 2007
【発明の開示】
【発明が解決しようとする課題】
【００１８】
しかしながら、ＰＤＣＣＨ送信に複数ＣＣＥが割当てられた場合、図３に示すように、利用されないＡＣＫ／ＮＡＣＫ用リソース（巡回シフト系列、ウォルシュ系列など）が発生する。したがって、複数ＣＣＥが割り当てられるＰＤＣＣＨ数が増加するほど、同時に送信可能なＡＣＫ／ＮＡＣＫ数が制限される。送信可能なＡＣＫ／ＮＡＣＫ数が制限されると、ＰＤＣＣＨ数が制限されることとなり、ＰＤＣＣＨと対となるＰＤＳＣＨ数も制限されることとなる。
【００１９】
本発明の目的は、同時に送信可能なＰＵＣＣＨ等の上り回線制御チャネル数（ＡＣＫ／ＮＡＣＫ用リソース数）を維持しつつ、Ｄ−ＡＣＫ及びＰ−ＡＣＫのリソース割り当てを行う無線通信基地局装置、無線通信端末装置及び応答信号割当方法を提供することである。
【課題を解決するための手段】
【００２０】
本発明の無線通信基地局装置は、動的にスケジューリングを行うダイナミックスケジューリングが行われた無線通信端末装置に送信した下り回線データに対して、前記無線通信端末装置が上り回線におけるＡＣＫ又はＮＡＣＫの送信に用いるリソースと、下り回線データの送信に対するＰＤＣＣＨに割り当てられたＣＣＥ番号とが一対一に対応付けられた無線通信基地局装置であって、１つのＰＤＣＣＨに複数のＣＣＥが割り当てられた場合、奇数と偶数のいずれか一方のＣＣＥ番号に対応するリソースをダイナミックスケジューリングされる無線通信端末装置が送信するＡＣＫ又はＮＡＣＫ用に割り当て、奇数と偶数のいずれか他方のＣＣＥ番号に対応するリソースをパーシステントスケジューリングされる無線通信端末装置が送信するＡＣＫ又はＮＡＣＫ用に割り当てるリソース制御手段と、リソースが割り当てられた無線通信端末装置に割り当てたリソースを通知する通知手段と、を具備する構成を採る。
【００２１】
本発明の無線通信端末装置は、動的にスケジューリングを行うダイナミックスケジューリングが行われ、送信した上り回線データに対して、無線通信基地局装置が下り回線におけるＡＣＫ又はＮＡＣＫの送信に用いるリソースと、ＰＵＳＣＨのスケジューリング情報を含むＰＤＣＣＨに割り当てられたＣＣＥ番号とが一対一に対応付けられた無線通信端末装置であって、１つのＰＤＣＣＨに複数のＣＣＥが割り当てられた場合、奇数と偶数のいずれか一方のＣＣＥ番号に対応するリソースをダイナミックスケジューリングされた場合に送信するＡＣＫ又はＮＡＣＫ用に割り当て、奇数と偶数のいずれか他方のＣＣＥ番号に対応するリソースをパーシステントスケジューリングされた場合に送信するＡＣＫ又はＮＡＣＫ用に割り当てるリソース制御手段と、リソースが割り当てられた無線通信基地局装置に割り当てたリソースを通知する通知手段と、を具備する構成を採る。
【００２２】
本発明の応答信号割当方法は、動的にスケジューリングを行うダイナミックスケジューリングが行われた無線通信端末装置に送信した下り回線データに対して、前記無線通信端末装置が上り回線におけるＡＣＫ又はＮＡＣＫの送信に用いるリソースと、下り回線データの送信に対するＰＤＣＣＨに割り当てられたＣＣＥ番号とが一対一に対応付けられ、１つのＰＤＣＣＨに複数のＣＣＥが割り当てられた場合、奇数と偶数のいずれか一方のＣＣＥ番号に対応するリソースをダイナミックスケジューリングされる無線通信端末装置が送信するＡＣＫ又はＮＡＣＫ用に割り当て、奇数と偶数のいずれか他方のＣＣＥ番号に対応するリソースをパーシステントスケジューリングされる無線通信端末装置が送信するＡＣＫ又はＮＡＣＫ用に割り当てるようにした。
【発明の効果】
【００２３】
本発明によれば、ＰＵＣＣＨ等の上り回線制御チャネルの利用効率を維持しつつ、Ｄ−ＡＣＫ及びＰ−ＡＣＫのリソース割り当てを行うことができる。
【発明を実施するための最良の形態】
【００２４】
以下、本発明の実施の形態について、図面を参照して詳細に説明する。
【００２５】
ここで、基地局が各移動局に割り当てるすべての上り回線制御チャネルの総称がＰＵＣＣＨである場合がある。しかし、以下の説明では、説明の便宜上、移動局毎に用意されたそれぞれの上り回線制御チャネルをＰＵＣＣＨと称する。なお、前者のＰＵＣＣＨと後者のＰＵＣＣＨとの間に技術的相違はないため、いずれのＰＵＣＣＨに対しても本発明を適用することができる。
【００２６】
同様に、基地局が各移動局に割り当てるすべての下り回線制御チャネルの総称がＰＤＣＣＨである場合がある。しかし、以下の説明では、説明の便宜上、移動局毎に用意されたそれぞれの下り回線制御チャネルをＰＤＣＣＨと称する。なお、前者のＰＤＣＣＨと後者のＰＤＣＣＨとの間に技術的相違はないため、いずれのＰＤＣＣＨに対しても本発明を適用することができる。
【００２７】
本実施の形態に係る基地局１００の構成を図４に示し、本実施の形態に係る移動局２００の構成を図５に示す。
【００２８】
なお、説明が煩雑になることを避けるために、図４では、本発明と密接に関連する下り回線データの送信、及び、その下り回線データに対する応答信号の上り回線での受信に係わる構成部を示し、上り回線データの受信に係わる構成部の図示および説明を省略する。同様に、図５では、本発明と密接に関連する下り回線データの受信、および、その下り回線データに対する応答信号の上り回線での送信に係わる構成部を示し、上り回線データの送信に係わる構成部の図示および説明を省略する。
【００２９】
図４に示す基地局１００において、下り回線データのリソース割当結果が制御情報生成部１０１及びマッピング部１０８に入力される。
【００３０】
制御情報生成部１０１は、リソース割当結果を通知するための制御情報を移動局毎に生成し符号化部１０２に出力する。移動局毎の制御情報には、どの移動局宛ての制御情報であるかを示す移動局ＩＤ情報が含まれる。例えば、制御情報の通知先の移動局のＩＤ番号でマスキングされたＣＲＣビットが移動局ＩＤ情報として制御情報に含まれる。移動局毎の制御情報は符号化部１０２で符号化され、変調部１０３で変調されてマッピング部１０８に入力される。また、制御情報生成部１０１は、ＰＵＣＣＨリソース制御部１０４より
入力されるＤ−ＡＣＫ用割当ＣＣＥ番号情報に基づいて、制御情報を通知するために必要なＣＣＥ数（ＣＣＥ占有数）に応じたＰＤＣＣＨ割当を各移動局のＰＤＣＣＨ毎に行い、割り当てたＰＤＣＣＨに対応するＣＣＥ番号をマッピング部１０８に出力する。なお、符号化部１０２及び変調部１０３は、上記のように、１つのＰＤＣＣＨが占有するＣＣＥの数に応じて制御情報の符号化率及び変調多値数を変化させる。
【００３１】
ＰＵＣＣＨリソース制御部１０４は、Ｄ−ＡＣＫ、Ｐ−ＡＣＫなど種別の異なる制御情報毎に異なるＰＵＣＣＨ送信用リソースの割り当て及び制御を行う。ここでは、まず、ＰＵＣＣＨリソース制御部１０４は、移動局がＤ−ＡＣＫ送信用に利用可能なＣＣＥ番号を決定し、決定したＤ−ＡＣＫ用割当ＣＣＥ番号情報を制御情報生成部１０１に出力する。また、ＰＵＣＣＨリソース制御部１０４は、パーシステントスケジューリングによりリソース割り当てされる各移動局に予め割り当てるＰ−ＡＣＫ用リソース情報を上位レイヤの制御情報として生成し、送信データとして送信する。符号化部１０５に出力されるＰ−ＡＣＫ用リソース情報は、割り当てた移動局に対して、下り送信データとして各移動局に通知される。なお、ＰＵＣＣＨリソース制御部１０４の詳細な動作は後述する。
【００３２】
一方、符号化部１０５は、各移動局への送信データ（下り回線データ）及びＰＵＣＣＨリソース制御部１０４から出力されたＰ−ＡＣＫ用リソース情報を符号化して再送制御部１０６に出力する。
【００３３】
再送制御部１０６は、初回送信時には、符号化後の送信データを移動局毎に保持するとともに変調部１０７に出力する。再送制御部１０６は、各移動局からのＡＣＫが判定部１１７から入力されるまで送信データを保持する。また、再送制御部１０６は、各移動局からのＮＡＣＫが判定部１１７から入力された場合、すなわち、再送時には、そのＮＡＣＫに対応する送信データを変調部１０７に出力する。
【００３４】
変調部１０７は、再送制御部１０６から入力される符号化後の送信データを変調してマッピング部１０８に出力する。
【００３５】
マッピング部１０８は、制御情報の送信時には、変調部１０３から入力される制御情報を制御情報生成部１０１から入力されるＣＣＥ番号に従って物理リソースにマッピングしてＩＦＦＴ部１０９に出力する。つまり、マッピング部１０８は、移動局毎の制御情報を、ＯＦＤＭシンボルを構成する複数のサブキャリアにおいてＣＣＥ番号に対応するサブキャリアにマッピングする。
【００３６】
一方、下り回線データの送信時には、マッピング部１０８は、リソース割当結果に従って各移動局への送信データを物理リソースにマッピングしてＩＦＦＴ部１０９に出力する。つまり、マッピング部１０８は、移動局毎の送信データを、リソース割当結果に従ってＯＦＤＭシンボルを構成する複数のサブキャリアのいずれかにマッピングする。
【００３７】
ＩＦＦＴ部１０９は、制御情報または送信データがマッピングされた複数のサブキャリアに対してＩＦＦＴを行ってＯＦＤＭシンボルを生成し、ＣＰ（Cyclic Prefix）付加部１１０に出力する。
【００３８】
ＣＰ付加部１１０は、ＯＦＤＭシンボルの後尾部分と同じ信号をＣＰとしてＯＦＤＭシンボルの先頭に付加する。
【００３９】
無線送信部１１１は、ＣＰ付加後のＯＦＤＭシンボルに対しＤ／Ａ変換、増幅及びアップコンバート等の送信処理を行ってアンテナ１１２から移動局２００（図５）へ送信する。
【００４０】
無線受信部１１３は、移動局２００から送信されたＡＣＫ／ＮＡＣＫ応答信号をアンテナ１１２を介して受信し、ＡＣＫ／ＮＡＣＫ応答信号に対しダウンコンバート、Ａ／Ｄ変換等の受信処理を行う。
【００４１】
ＣＰ除去部１１４は、受信処理後のＡＣＫ／ＮＡＣＫ応答信号に付加されているＣＰを除去する。
【００４２】
逆拡散部１１５は、移動局２００において２次拡散に用いられたウォルシュ系列でＡＣＫ／ＮＡＣＫ応答信号を逆拡散し、逆拡散後のＡＣＫ／ＮＡＣＫ応答信号を相関処理部１１６に出力する。
【００４３】
相関処理部１１６は、逆拡散部１１５から入力されるＡＣＫ／ＮＡＣＫ応答信号、すなわち、ＣＡＺＡＣ系列で拡散されているＡＣＫ／ＮＡＣＫ応答信号と、移動局２００において１次拡散に用いられたＣＡＺＡＣ系列との相関値を求め判定部１１７に出力する。
【００４４】
判定部１１７は、時間軸上に移動局毎に設定された検出窓を用いて、移動局毎に相関値の閾値判定等を行うことにより、移動局毎のＡＣＫ／ＮＡＣＫ応答信号を検出する。例えば、判定部１１７は、移動局＃１用の検出窓＃１において相関値が所定の閾値を超えた場合には、移動局＃１からのＡＣＫ／ＮＡＣＫ応答信号を検出する。そして、判定部１１７は、検出されたＡＣＫ／ＮＡＣＫ応答信号がＡＣＫ又はＮＡＣＫのいずれであるかを判定し、移動局毎のＡＣＫ又はＮＡＣＫを再送制御部１０６に出力する。
【００４５】
一方、図５に示す移動局２００において、無線受信部２０２は、基地局１００から送信されたＯＦＤＭシンボルをアンテナ２０１を介して受信し、ＯＦＤＭシンボルに対しダウンコンバート、Ａ／Ｄ変換等の受信処理を行う。
【００４６】
ＣＰ除去部２０３は、受信処理後のＯＦＤＭシンボルに付加されているＣＰを除去する。
【００４７】
ＦＦＴ（Fast Fourier Transform）部２０４は、ＯＦＤＭシンボルに対してＦＦＴを行って複数のサブキャリアにマッピングされている制御情報または下り回線データを得て、それらを抽出部２０５に出力する。
【００４８】
抽出部２０５は、制御情報の受信時には、複数のサブキャリアから制御情報を抽出して復調部２０６に出力する。この制御情報は、復調部２０６で復調され、復号部２０７で復号されて判定部２０８に入力される。
【００４９】
復号部２０７から入力された制御情報が自局宛ての制御情報であるか否かを判定する判定部２０８は、ＣＲＣ＝ＯＫ（誤り無し）となった制御情報を自局宛ての制御情報であると判定した場合、自局宛ての制御情報、すなわち、自局に対する下り回線データのリソース割当結果を抽出部２０５に出力する。また、判定部２０８は、自局宛ての制御情報（ＰＤＣＣＨ）がマッピングされていたサブキャリアに対応するＣＣＥ番号を判定し、判定結果（ＣＣＥ番号）を制御部２０９に出力する。
【００５０】
制御部２０９は、判定部２０８から入力されたＣＣＥ番号に基づいて、自局の応答信号の送信に用いることが可能なＰＵＣＣＨリソース（Ｄ−ＡＣＫ用リソース）を判定し、判定結果（ＰＵＣＣＨ番号）に基づいて、拡散部２１５での１次拡散に用いるＺＣ系列の巡回シフト量及び拡散部２１８での２次拡散に用いるウォルシュ系列を制御する。すなわち、制御部２０９は、判定結果（ＰＵＣＣＨ番号）に基づいて選択した巡回シフト量のＺＣ
系列を拡散部２１５に設定するとともに、判定結果（ＰＵＣＣＨ番号）に基づいて選択したウォルシュ系列を拡散部２１８に設定する。
【００５１】
一方、下り回線データの受信時には、抽出部２０５は、判定部２０８から入力されるリソース割当結果に従って、複数のサブキャリアから自局宛ての下り回線データを抽出して復調部２１０に出力する。この下り回線データは、復調部２１０で復調され、復号部２１１で復号されてＣＲＣ部２１２に入力される。
【００５２】
ＣＲＣ部２１２は、復号後の下り回線データに対してＣＲＣを用いた誤り検出を行って、ＣＲＣ＝ＯＫ（誤り無し）の場合はＡＣＫを応答信号として生成し、また、ＣＲＣ＝ＮＧ（誤り有り）の場合はＮＡＣＫを応答信号として生成する。ＣＲＣ部２１２は生成した応答信号を変調部２１４に出力する。また、ＣＲＣ部２１２は、ＣＲＣ＝ＯＫ（誤り無し）の場合、復号後の下り回線データを受信データとして出力する。また、ＣＲＣ部２１２は、受信した上位レイヤの制御情報に含まれるＰ−ＡＣＫ用リソース情報をＰ−ＡＣＫリソース制御部２１３に出力する。
【００５３】
Ｐ−ＡＣＫリソース制御部２１３は、ＣＲＣ部２１２から入力されたＰ−ＡＣＫ用リソース情報に基づいて、拡散部２１５での１次拡散に用いるＣＡＺＡＣ系列の巡回シフト量及び拡散部２１８での２次拡散に用いるウォルシュ系列を制御する。すなわち、Ｐ−ＡＣＫリソース制御部２１３は、ＣＲＣ部２１２から入力されたＰ−ＡＣＫ用リソース情報で基地局から指示された情報に基づいて選択した巡回シフト量のＣＡＺＡＣ系列を拡散部２１５に設定するとともに、Ｐ−ＡＣＫ用リソース情報で基地局から指示された情報に基づいて選択したウォルシュ系列を拡散部２１８に設定する。
【００５４】
変調部２１４は、ＣＲＣ部２１２から入力される応答信号を変調して拡散部２１５に出力する。
【００５５】
拡散部２１５は、図１に示したように、制御部２０９又はＰ−ＡＣＫリソース制御部２１３によって設定されたＣＡＺＡＣ系列でＡＣＫ／ＮＡＣＫ応答信号を１次拡散し、１次拡散後のＡＣＫ／ＮＡＣＫ応答信号をＩＦＦＴ部２１６に出力する。
【００５６】
ＩＦＦＴ部２１６は、図１に示したように、１次拡散後のＡＣＫ／ＮＡＣＫ応答信号に対してＩＦＦＴを行い、ＩＦＦＴ後のＡＣＫ／ＮＡＣＫ応答信号をＣＰ付加部２１７に出力する。
【００５７】
ＣＰ付加部２１７は、ＩＦＦＴ後のＡＣＫ／ＮＡＣＫ応答信号の後尾部分と同じ信号をＣＰとしてそのＡＣＫ／ＮＡＣＫ応答信号の先頭に付加する。
【００５８】
拡散部２１８は、図１に示したように、制御部２０９又はＰ−ＡＣＫリソース制御部２１３によって設定されたウォルシュ系列でＣＰ付加後のＡＣＫ／ＮＡＣＫ応答信号を２次拡散し、２次拡散後のＡＣＫ／ＮＡＣＫ応答信号を無線送信部２１９に出力する。
【００５９】
なお、拡散部２１５及び拡散部２１８では、受信したデータ信号がＰＤＣＣＨを伴う場合、つまり、ダイナミックスケジューリングされる場合は、ＰＵＣＣＨ送信時に用いる巡回シフトＣＡＺＡＣ系列及びウォルシュ系列が制御部２０９により設定される。また、受信したデータ信号がＰＤＣＣＨを伴わない場合、つまり、パーシステントスケジューリングされる場合は、ＰＵＣＣＨ送信時に用いる巡回シフトＣＡＺＡＣ系列及びウォルシュ系列がＰ−ＡＣＫリソース制御部２１３により設定される。
【００６０】
無線送信部２１９は、２次拡散後のＡＣＫ／ＮＡＣＫ応答信号に対しＤ／Ａ変換、増幅
及びアップコンバート等の送信処理を行ってアンテナ２０１から基地局１００（図４）へ送信する。
【００６１】
次いで、基地局１００のＰＵＣＣＨリソース制御部１０４の動作について詳細に説明する。
【００６２】
上記のように、１移動局に対し複数のＣＣＥが割り当てられる場合、移動局がそれら複数のＣＣＥにおいて最小番号のＣＣＥに対応するＰＵＣＣＨのみを用いてＡＣＫ／ＮＡＣＫ応答信号を送信すると、それら複数のＣＣＥにおいて最小番号以外のＣＣＥに対応するＰＵＣＣＨは使用されない。つまり、１移動局に対し複数のＣＣＥが割り当てられる場合には、使用されない応答信号用物理リソース（空き物理リソース）が発生する。
【００６３】
そこで、本実施の形態では、１移動局に対し複数のＣＣＥが割り当てられる場合に、上記のようにして生じる空き物理リソースを図６に示すようにＰ−ＡＣＫ用に割り当てるリソースとして利用する。
【００６４】
より具体的には、ダイナミックスケジューリングされる場合において、複数のＣＣＥがＰＤＣＣＨ送信時に割り当てられた場合、利用可能な複数のＣＣＥ番号のうち、奇数のＣＣＥ番号に対応するＰＵＣＣＨリソースをＤ−ＡＣＫ送信用に選択する。一方、偶数のＣＣＥ番号に対応するＰＵＣＣＨリソースに対して、パーシステントスケジューリングされる移動局のＰ−ＡＣＫを割り当てる。
【００６５】
ＰＤＣＣＨ送信に利用するＣＣＥ数が１つの場合は、そのＣＣＥに対応するＰＵＣＣＨリソースを選択する。
【００６６】
ＰＵＣＣＨで利用可能なＣＣＥ数を１２とした場合の、従来のＰＵＣＣＨリソース割り当てと割り当て状況を図７に示し、本実施の形態のＰＵＣＣＨリソース割り当てと割り当て状況を図８に示す。
【００６７】
従来のＰＵＣＣＨ用リソース割当方法では、Ｐ−ＡＣＫ用リソースをＣＣＥ＃８〜＃１１を予め確保し、残りのＣＣＥ＃０〜＃７をＤ−ＡＣＫ用リソースとして用いる。したがって、ＰＤＣＣＨ送信時に複数のＣＣＥが利用された場合、空きリソースが発生し、ＰＵＣＣＨの利用効率が低下する。また、送信可能なＰＤＣＣＨの数も図７に示す場合、４つに制限される。
【００６８】
これに対して、本実施の形態のＰＵＣＣＨリソース割当方法では、奇数番号のＣＣＥ（ＣＣＥ＃５，＃７，＃９，＃１１）をＰ−ＡＣＫ用リソースとして予め確保する。残りのＣＣＥをＤ−ＡＣＫ用リソースとして用いるが、ＰＤＣＣＨ送信時に複数のＣＣＥが利用された場合は、偶数番号のＣＣＥを選択する。この場合、さらに、ＣＣＥ＃１とＣＣＥ＃３をＰ−ＡＣＫ用リソースとして追加することが可能であり、また送信可能なＰＤＣＣＨ数も１つ増加できることが分かる。
【００６９】
なお、利用可能なＣＣＥ数が３あるいは３以上の場合は、Ｄ−ＡＣＫ用として複数の偶数ＣＣＥ番号が存在することがあるが、この場合は予め選択する偶数ＣＣＥ番号を基地局と移動局間で決めておけばよい。例えば、最も小さい、あるいは、最も大きい偶数ＣＣＥ番号を選択するようにしてもよい。または、本実施の形態に記載のＣＣＥ決定方法を再帰的に利用するようにしてもよい。すなわち、さらに利用可能なＣＣＥ番号に対して偶数番目のＣＣＥ、奇数番目のＣＣＥのいずれを利用するか予め決めておくなどが考えられる。
【００７０】
また、Ｄ−ＡＣＫに割り当てるＣＣＥ番号が奇数番号であるのか、偶数番号であるのか
は、予めシステムで決められていてもよいし、基地局から移動局に予め通知する構成であってもよい。
【００７１】
さらに、非特許文献４のＣＣＥとＰＵＣＣＨリソースのマッピング例を用いた場合の従来方法と本実施の形態のＰＵＣＣＨ用リソース割り当てと割り当て状況を比較したものを図９及び図１０に示す。図９ＡはマッピングパターンＡを示し、図９ＢはマッピングパターンＡにおける従来方法によるＰＵＣＣＨ用リソース割り当て状況を示し、図９ＣはマッピングパターンＡにおける本実施の形態のＰＵＣＣＨ用リソース割り当て状況を示す。また、図１０ＡはマッピングパターンＢを示し、図１０ＢはマッピングパターンＢにおける従来方法によるＰＵＣＣＨ用リソース割り当て状況を示し、図１０ＣはマッピングパターンＢにおける本実施の形態のＰＵＣＣＨ用リソース割り当て状況を示す。
【００７２】
次に、移動局２００の制御部２０９およびＰ−ＡＣＫリソース制御部２１３の動作について説明する。
【００７３】
まず、移動局２００が下り回線で受信するＰＤＳＣＨがダイナミックスケジューリングされる場合は、先述のように、受信するＰＤＳＣＨにＰＤＣＣＨが伴うため、このＰＤＳＣＨに対応するＡＣＫ／ＮＡＣＫ応答信号を送信するためのＤ−ＡＣＫリソース情報は、ＰＤＣＣＨが割り当てられているＣＣＥ番号に基づいて決定される。
【００７４】
より具体的には、制御部２０９では、ダイナミックスケジューリングされる場合において、複数のＣＣＥがＰＤＣＣＨ送信時に割り当てられた場合、利用可能な複数のＣＣＥ番号のうち、奇数のＣＣＥ番号に対応するＰＵＣＣＨリソースがＤ−ＡＣＫ送信用に選択される。
【００７５】
なお、Ｄ−ＡＣＫに割り当てるＣＣＥ番号が奇数番号であるのか、偶数番号であるのかは、予めシステムで決められていている。もしくは、基地局から移動局に予め通知されている。
【００７６】
ＰＤＣＣＨ送信に利用するＣＣＥ数が１つの場合は、そのＣＣＥに対応するＰＵＣＣＨリソースを選択する。
【００７７】
例えば、図８に示すようにＰＵＣＣＨで利用可能なＣＣＥ数を１２とした場合に、移動局宛てのＰＤＣＣＨがＰＤＣＣＨ＃０であった場合は、割当ＣＣＥ番号はＣＣＥ＃０及びＣＣＥ＃１であるため、偶数番号であるＣＣＥ＃０を選択決定する。また、移動局宛てのＰＤＣＣＨがＰＤＣＣＨ＃１であった場合は、割当ＣＣＥ番号はＣＣＥ＃２のみであるため、ＣＣＥ＃２に対応するＰＵＣＣＨリソースをＡＣＫ／ＮＡＣＫ用に選択する。さらに、移動局宛てのＰＤＣＣＨがＰＤＣＣＨ＃４であった場合は、割当ＣＣＥ番号はＣＣＥ＃８、＃９、＃１０であり、ＣＣＥ＃８及びＣＣＥ＃１０が偶数番号のＣＣＥに該当する。このように利用可能なＣＣＥ数が３あるいは３以上の場合は、Ｄ−ＡＣＫ用として複数の偶数ＣＣＥ番号が存在することがあるが、この場合は予め選択する偶数ＣＣＥ番号を基地局と移動局間で決めておく。例えば、最も小さい、あるいは、最も大きい偶数ＣＣＥ番号を選択するようにしてもよい。または、本実施の形態に記載のＣＣＥ決定方法を再帰的に利用するようにしてもよい。すなわち、さらに利用可能なＣＣＥ番号に対して偶数番目のＣＣＥ、奇数番目のＣＣＥのいずれを利用するか予め決めておくなどが考えられる。
【００７８】
移動局が下り回線で受信するＰＤＳＣＨがパーシステントスケジューリングされる場合は、基地局から予めＰＤＳＣＨに対応するＡＣＫ／ＮＡＣＫ応答信号を送信するためのＰ−ＡＣＫリソース情報を通知されるため、移動局はこの基地局より予め通知されるＰ−ＡＣＫリソース情報に基づいて、Ｐ−ＡＣＫリソース制御部２１３において、割り当てられ
た巡回シフト量に対応するＣＡＺＡＣ系列、及び、ウォルッシュ系列を拡散部２１５及び拡散部２１８にそれぞれ指示し、ＡＣＫ／ＮＡＣＫ応答信号を拡散して送信する。
【００７９】
このように本実施の形態によれば、複数のＣＣＥがＰＤＣＣＨ送信時に割り当てられた場合、利用可能な複数のＣＣＥ番号のうち、奇数のＣＣＥ番号に対応するＰＵＣＣＨリソースをＤ−ＡＣＫ用に割り当て、偶数のＣＣＥ番号に対応するＰＵＣＣＨリソースをＰ−ＡＣＫ用に割り当てることにより、空きリソースを解消し、ＰＵＣＣＨリソースの利用効率を向上させることができる。
【００８０】
なお、本実施の形態では、利用可能な複数のＣＣＥ番号のうち、奇数のＣＣＥ番号に対応するＰＵＣＣＨリソースをＤ−ＡＣＫ用に割り当て、偶数のＣＣＥ番号に対応するＰＵＣＣＨリソースをＰ−ＡＣＫ用に割り当てる場合について説明したが、本発明はこれに限らず、奇数のＣＣＥ番号に対応するＰＵＣＣＨリソースをＰ−ＡＣＫ用に割り当て、偶数のＣＣＥ番号に対応するＰＵＣＣＨリソースをＤ−ＡＣＫ用に割り当てるようにしてもよい。
【００８１】
また、本実施の形態では、Ｐ−ＡＣＫに加えて、あるいはＰ−ＡＣＫの代わりにスケジューリングリクエスト（Scheduling Request）、ＣＱＩなど他の制御情報を多重する場合、スケジューリングリクエスト及びＣＱＩ用リソース情報もＰＵＣＣＨリソース制御部１０４から通知されればよい。この場合、スケジューリングリクエスト及びＣＱＩ用のＰＵＣＣＨリソースはＰ−ＡＣＫと同様の方法でリソース割り当て及び通知が行われる。
【００８２】
また、本実施の形態では、複数のＣＣＥがＰＤＣＣＨ送信時に割り当てられた場合、利用可能な複数のＣＣＥ番号のうち、奇数のＣＣＥ番号に対応するＰＵＣＣＨリソースをＤ−ＡＣＫ用に割り当て、偶数のＣＣＥ番号に対応するＰＵＣＣＨリソースをＰ−ＡＣＫ用に割り当てる場合について説明したが、利用可能な複数のＣＣＥ番号のうち、次式（１）より得られるＲＮのうち、予め決められたいずれか１つの値に対応するＣＣＥ番号を選択し、残りのＲＮに対してパーシステントスケジューリングされる移動局のＡＣＫ／ＮＡＣＫ応答信号、帯域割当要求信号（ＳＲ：Scheduling Request、スケジューリングリクエスト）又はＣＱＩを割り当てるようにしてもよい。
ＲＮ＝（利用可能なＣＣＥ番号）ｍｏｄ Ｎ，（Ｎは正の整数）・・・（１）
【００８３】
例えば、Ｎ＝４の場合、ＲＮ＝０に対してＰ−ＡＣＫを、ＲＮ＝１に対してＤ−ＡＣＫを、ＲＮ＝２に対してＣＱＩを、ＲＮ＝３に対してスケジューリングリクエストを割り当てるというように、制御情報を割り当てる。
【００８４】
これにより、複数のＣＣＥ割り当てが多い場合に、Ｎ種類の異なるリソース割り当てを行うことができる。また、各上り制御チャネルの割合に対応したリソース確保及びリソース割り当てが可能となる。
【００８５】
なお、この場合、複数のＲＮに対して同じ種類のリソースを割り当ててもよい。例えば、ＲＮ＝０に対してＤ−ＡＣＫを、ＲＮ＝１及びＲＮ＝２に対してＰ−ＡＣＫを、ＲＮ＝３に対してＣＱＩを割り当てるなどである。
【００８６】
ちなみに、上記実施の形態におけるＣＣＥ番号の奇数と偶数とに分けたリソース割り当ては、上式（１）のＮ＝２に相当する。
【００８７】
なお、上記実施の形態は、全てのＰＵＣＣＨリソースのうち一部に適用する構成であってもよい。つまり、異なる時間、周波数、符号空間を用いるＰＵＣＣＨの一部のＰＵＣＣＨリソースに対して、本発明を提供する構成であってもよい。
【００８８】
また、上記実施の形態では、ＰＵＣＣＨリソースとして巡回シフト系列とウォルシュ系列（ＤＦＴ系列）に関わらず同じ符号リソースとして説明したが、複数ＣＣＥが割り当てられた場合にＤ−ＡＣＫ用リソースとして利用可能なＣＣＥ番号をウォルッシュ系列毎に異ならせてもよい。つまり、ウォルッシュ系列１に割り当てられているＣＣＥ＃０〜ＣＣＥ＃５にＰＤＣＣＨが割り当てられた場合は、偶数番号のＣＣＥに対応するＰＵＣＣＨリソースをＤ−ＡＣＫ用リソースとして適用し、奇数番号のＣＣＥに対応するＰＵＣＣＨリソースをＰ−ＡＣＫ用リソースとして適用する。一方で、ウォルッシュ系列２に割り当てられているＣＣＥ＃６〜ＣＣＥ＃１１にＰＤＣＣＨが割り当てられた場合は、奇数番号のＣＣＥに対応するＰＵＣＣＨリソースをＤ−ＡＣＫ用リソースとして適用し、偶数番号のＣＣＥに対応するＰＵＣＣＨリソースをＰ−ＡＣＫ用リソースとして適用する。
【００８９】
また、本実施の形態では、ＰＤＳＣＨ（下りデータチャネル）に対するダイナミックスケジューリング用ＡＣＫ／ＮＡＣＫリソースの割り当て及びパーシステントスケジューリング用ＡＣＫ／ＮＡＣＫリソースの割り当てを例に説明したが、本発明はこれに限らず、ＰＵＳＣＨ（上りデータチャネル）に対するダイナミックスケジューリング用ＡＣＫ／ＮＡＣＫリソースの割り当て及びパーシステントスケジューリング用ＡＣＫ／ＮＡＣＫリソースの割り当てに対しても同様に適用できる。
【００９０】
具体的には、ダイナミックスケジューリング用ＡＣＫ／ＮＡＣＫリソースが、ＰＵＳＣＨのスケジューリング情報を含む下り制御チャネル（ＰＤＣＣＨ）の送信時に割り当てられたＣＣＥ番号と、基地局から送信されるＡＣＫ／ＮＡＣＫ用リソースとが対応付けられたシステムにおいて、ＰＤＣＣＨ送信に１つ以上のＣＣＥが割り当てられた場合、ダイナミックスケジューリング用ＡＣＫ／ＮＡＣＫリソースとして送信時に用いるリソースは偶数のＣＣＥ番号（又は奇数のＣＣＥ番号）とし、奇数のＣＣＥ番号（偶数のＣＣＥ番号）に対応するＡＣＫ／ＮＡＣＫリソースは予め移動局に割り当て及び通知の必要な制御情報（パーシステントスケジューリング用ＡＣＫ／ＮＡＣＫリソース、ＣＱＩ、スケジューリングリクエストなど）として割り当てる。また、移動局もこのルールに従い、基地局より通知されるダイナミックスケジューリング用ＡＣＫ／ＮＡＣＫリソースを決定し、自局宛てのＡＣＫ／ＮＡＣＫ受信を行う。
【００９１】
ダイナミックスケジューリングされるＰＵＳＣＨに対するＡＣＫ／ＮＡＣＫリソースを割り当てる場合、ＰＤＳＣＨに対するＡＣＫ／ＮＡＣＫリソースを割り当てる場合とは、以下の点で異なる。すなわち、ＰＵＳＣＨのスケジューリング情報を含むＰＤＣＣＨのＣＣＥ番号を用いて決定する点と、基地局が各移動局より送信されたＰＵＳＣＨを受信し、ＰＵＳＣＨ毎にＡＣＫ／ＮＡＣＫ信号を生成し、各移動局にＡＣＫ／ＮＡＣＫリソースを送信する点と、移動局が基地局に対してＰＵＳＣＨを送信し、自局宛てのＡＣＫ／ＮＡＣＫを受信する点とが異なる。その他の点は、基地局、移動局ともに、上記実施の形態と同様に、ダイナミックスケジューリング用ＡＣＫ／ＮＡＣＫリソースの割り当てルールに従い、基地局より通知されるＰＤＣＣＨのＣＣＥ番号からダイナミックスケジューリング用ＡＣＫ／ＮＡＣＫのリソースを決定する。
【００９２】
また、本実施の形態では、ＤＬで送信される制御情報（ＰＤＣＣＨ）が送信されるＣＣＥに対応してＵＬで送信されるＤＬ用ＡＣＫ／ＮＡＣＫ応答信号を例に説明したが、本発明は、下り送信信号のリソースに対応してＵＬもしくはＤＬで送信するデータの無線リソースが決定される仕組みを用いた全ての無線リソース通知方法に対して適用可能であり、ＰＤＣＣＨ、ＣＣＥ、ＤＬ用ＡＣＫ／ＮＡＣＫ応答信号に限定されるものではない。したがって、ＰＤＣＣＨは第１のチャネル、ＣＣＥは第１のチャネルの送信に利用する物理的あるいは論理的なリソース割当単位、ＡＣＫ／ＮＡＣＫ応答信号は第２のチャネルと定義することができる。
【００９３】
上記実施の形態では、本発明をハードウェアで構成する場合を例にとって説明したが、本発明はソフトウェアで実現することも可能である。
【００９４】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９５】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００９６】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００９７】
２００７年９月２１日出願の特願２００７−２４５９２９の日本出願に含まれる明細書、図面及び要約書の開示内容は、すべて本願に援用される。
【産業上の利用可能性】
【００９８】
本発明にかかる無線通信基地局装置、無線通信端末装置及び応答信号割当方法は、ＰＵＣＣＨ等の上り回線制御チャネルの利用効率を維持しつつ、Ｄ−ＡＣＫ及びＰ−ＡＣＫのリソース割り当てを行うことができ、移動通信システム等に適用できる。
【図面の簡単な説明】
【００９９】
【図１】ＡＣＫ／ＮＡＣＫ応答信号の拡散方法を示す図
【図２】非特許文献４に記載のＤ−ＡＣＫ及びＰ−ＡＣＫのリソース割り当ての様子を示す図
【図３】空きリソースが生じる様子を示す図
【図４】本発明の実施の形態に係る基地局の構成を示すブロック図
【図５】本発明の実施の形態に係る移動局の構成を示すブロック図
【図６】Ｄ−ＡＣＫ及びＰ−ＡＣＫのリソース割り当ての様子を示す図
【図７】従来のＰＵＣＣＨリソース割り当てと割り当て状況を示す図
【図８】本実施の形態のＰＵＣＣＨリソース割り当てと割り当て状況を示す図
【図９】マッピングパターンＡにおいて、非特許文献４に記載の方法と本実施の形態のＰＵＣＣＨリソース割り当てと割り当て状況を比較した様子を示す図
【図１０】マッピングパターンＢにおいて、非特許文献４に記載の方法と本実施の形態のＰＵＣＣＨリソース割り当てと割り当て状況を比較した様子を示す図
【手続補正３】
【補正対象書類名】図面
【補正対象項目名】全図
【補正方法】変更
【補正の内容】
【図１】
2009037853.tif 000013
【図２】
2009037853.tif 000014
【図３】
2009037853.tif 000015
【図４】
2009037853.tif 000016
【図５】
2009037853.tif 000017
【図６】
2009037853.tif 000018
【図７】
2009037853.tif 000019
【図８】
2009037853.tif 000020
【図９】
2009037853.tif 000021
【図１０】
2009037853.tif 000022
【国際調査報告】
2009037853.tif 000023
2009037853.tif 000024
2009037853.tif 000025
2009037853.tif 000026